(57)【要約】      （修正有）【課題】普通の衣料品の外観を有していて、ファッショナブルな日常着として着用することができる生地製の圧迫ガーメントの提供。【解決手段】均一、即ち一定の弾性を有する伸縮性生地（１０）で製造される圧迫ガーメントは、生地を幾何学的に裁断（６）、（８）して、ガーメントの円周方向部分の全長に伸びる一枚以上の生地パネル（２）、（４）に成形するので、着用者が着用した時、様々なガーメント圧迫度を発揮する。円周方向部分は、着用者の肉体部分を包み、軸方向に沿った様々な位置（１２）、（１４）、（１６）、（１８）、（２０）、（２２）、（２４）、（２６）において異なる圧迫度を含んでいる。【選択図】図１
2018076630.tif 000002
【特許請求の範囲】
【請求項１】
均一な弾性を有している伸縮性織布生地（１０）の単一層で製造された円周方向部分（６６）を含んでいる圧迫ガーメント（６８）であって、前記円周方向部分は、前記伸縮性織布生地の少なくとも１枚の生地パネル（２）、（４）を含んでおり、前記生地パネル（２）、（４）は、それぞれ、前記円周方向部分（６６）の一方の長手方向端部（２１）から、前記円周方向部分（６６）の対向する長手方向端部（２３）へ完全に延伸していて、前記円周方向部分は、軸に沿って延伸しており、かつ軸方向へ延伸している縫い目（６５）及び複数の様々な軸方向位置（１２）、（１４）、（１６）、（１８）、（２０）、（２２）、（２４）、（２６）において様々な円周方向長さ（１２Ｆ）、（１４Ｆ）、（１６Ｆ）、（１８Ｆ）、（２０Ｆ）、（２２Ｆ）、（２４Ｆ）、（２６Ｆ）を有しており、前記円周方向長さは、前記複数の様々な軸方向位置の少なくとも３つの連続した軸方向位置（１４）、（１６）、（１８）に沿って増加及び減少している圧迫ガーメント（６８）。
【請求項２】
前記生地パネル（２）、（４）の少なくとも１枚は、前記縫い目（６５）部分を形成する縁部（２０６Ａ）、及び互いに関して角度のある複数の直線セグメント（２１１）、（２１３）、（２１９）及び／又は湾曲部分（２１７）に関して角度がある直線セグメント（２１９）を含んでいる、請求項１に記載の圧迫ガーメント（６８）。
【請求項３】
前記円周方向部分（６６）は、普通の着用者（７０）が着用して、前記円周方向部分は延伸して、前記複数の様々な軸方向位置（１２）、（１４）、（１６）、（１８）、（２０）、（２２）、（２４）、（２６）において様々な円周方向圧迫値を付与するようになっており、かつ前記円周方向圧迫値は、前記複数の様々な軸方向位置の少なくとも３つの連続した軸方向位置（２２５）、（２２７）、（２２９）に沿って、先ず減少し、次いで増加し、次いで減少している、請求項１に記載の圧迫ガーメント（６８）。
【請求項４】
前記円周方向圧迫値は、前記普通の着用者（７０）が着用して、前記円周方向部分は延伸した時、前記複数の様々な軸方向位置（１２）、（１４）、（１６）、（１８）、（２０）、（２２）、（２４）、（２６）の少なくとも１つにおいて、前記円周方向圧迫値はゼロ（０）である、請求項３に記載の圧迫ガーメント（６８）。
【請求項５】
最大円周方向圧迫は、前記普通の着用者（７０）が着用して、前記円周方向部分が縫い合わされている場合、前記複数の様々な軸方向位置（１２）、（１４）、（１６）、（１８）、（２０）、（２２）、（２４）、（２６）の中間で付与され、かつ前記縫い目は、チェーンスティッチ縫い目、セーフティースティッチ縫い目又はオーバーラップスティッチ縫い目である、請求項３に記載の圧迫ガーメント（６８）。
【請求項６】
前記円周方向部分（６６）はパンツ脚部（６０）を含んでおり、前記普通の着用者（７０）が前記パンツを着用した時、前記様々な円周方向長さは、軸方向（６２）に沿った圧迫力勾配を形成し、かつ足首部分（１６）で最大圧迫を含む様々な円周方向圧迫値を付与する、請求項１に記載の圧迫ガーメント（６８）。
【請求項７】
前記円周方向部分（６６）は、前記伸縮性織布生地（１０）の前記生地パネル（２）、（４）を１枚だけ含んでいる、請求項１〜６のいずれか１項に記載の圧迫ガーメント（６８）。
【請求項８】
前記圧迫ガーメントは、１対のジーンズ（６８）であって、前記伸縮性織布生地は、伸縮性デニムで、前記円周方向部分は、パンツ脚部（６０）を含んでいる、請求項１〜７のいずれか１項に記載の圧迫ガーメント（６８）。
【請求項９】
前記円周方向部分（５１）の長手方向端部（５５）に接合されており、前記軸（５９）に沿って延伸し、かつ非弾性生地で製造された別の非圧迫性円周方向部分（５３）を更に含んでいる、請求項１〜８のいずれか１項に記載の圧迫ガーメント（６８）。
【請求項１０】
血行不良、リンパ水腫、血栓症、又は他の静脈及びリンパ系機能障害の治療における使用のための請求項１〜９のいずれか１項に記載の圧迫ガーメント（６８）。
【請求項１１】
普通の着用者に非均一性圧迫を付与する方法であって、前記方法は、
ａ）  均一な弾性を有している伸縮性織布生地の単一層（１０）で製造された円周方向部分（６６）を含んでいる圧迫ガーメント（６８）であって、前記円周方向部分（６６）は、前記伸縮性織布生地の単一層（１０）の少なくとも１枚の生地パネル（２）、（４）を含んでいて、前記生地パネル（２）、（４）は、それぞれ、前記円周方向部分（６６）の一方の長手方向端部（２５）から前記円周方向部分（６６）の対向する長手方向端部（２７）へ完全に延伸していて、前記円周方向部分は、軸（２８）、軸方向へ延伸した縫い目、及び複数の様々な軸方向位置（１２）、（１４）、（１６）、（１８）、（２０）、（２２）、（２４）、（２６）において様々な円周方向長さ（１２Ｃ）、（１４Ｃ）、（１６Ｃ）、（１８Ｃ）、（２０Ｃ）、（２２Ｃ）、（２４Ｃ）、（２６Ｃ）を有しており、前記円周方向部分が応力緩和状態にある時、前記円周方向長さは、前記複数の様々な軸方向位置の３つの連続した軸方向位置（６２）に沿って増加及び減少している、圧迫ガーメント（６８）を提供すること；及び
ｂ）  前記円周方向部分を普通の着用者（７０）の肉体部分に配置することによって、前記円周方向部分を延伸し、前記円周方向部分の前記複数の様々な軸方向位置において、円周方向に前記普通の着用者（７０）にガーメント圧迫度を付与することを含む普通の着用者に非均一性圧迫を付与する方法。
【請求項１２】
前記ステップａ）は、前記縫い目部分を形成する縁部（６Ａ）、（６Ｂ）、（８Ａ）、（８Ｂ）を含み、かつ，互いに（２１１）、（２１３）関して角度のある複数の直線セグメント及び湾曲部分（２１７）を含んでいる少なくとも１つの前記生地パネル（２）、（４）を含んでいる、請求項１２に記載の方法。
【請求項１３】
前記ステップｂ）は、前記複数の様々な軸方向位置（１２）、（１４）、（１６）、（１８）、（２０）、（２２）、（２４）、（２６）において、前記円周方向部分を様々な度合いで延伸させる、請求項１１に記載の方法。
【請求項１４】
前記ステップｂ）は、前記複数の様々な軸方向位置（１２）、（１４）、（１６）、（１８）、（２０）、（２２）、（２４）、（２６）において、前記円周方向部分を同じ度合いで延伸させる、請求項１１に記載の方法。
【請求項１５】
前記ステップｂ）は、前記軸方向（６２）に沿って、前記複数の様々な軸方向位置の少なくとも３つの連続した軸方向位置（１８）、（２０）、（２２）に沿って増加及び減少する前記ガーメント圧迫値を発生させる、請求項１１に記載の方法。
【請求項１６】
前記ステップｂ）は、前記軸方向の少なくとも１つにおいてゼロ（０）である前記ガーメント圧迫値を発生させ、かつ前記軸方向に延伸している縫い目は、チェーンスティッチ縫い目、セーフティースティッチ縫い目又はオーバーラップスティッチ縫い目である、請求項１１に記載の方法。
【請求項１７】
前記ステップｂ）は、前記複数の様々な軸方向位置の少なくとも中間において、ゼロ（０）である前記ガーメント圧迫値を発生させる、請求項１１に記載の方法。
【請求項１８】
前記円周方向部分は、パンツ脚部（６０）で、前記単一層の伸縮性織布生地は、伸縮性デニムである、請求項１１〜１７のいずれか１項に記載の方法。
【請求項１９】
非弾性生地で製造された別の円周方向部分（５３）を、前記円周方向部分の前記長手方向両端部（５５）の１つに、前記軸（５９）に沿って接合することを更に含む、請求項１１〜１７のいずれか１項に記載の方法。
【請求項２０】
前記ステップｂ）は、前記軸方向位置の中間位置（１４）、（１６）、（１８）、（２０）、（２２）において、前記ガーメント圧迫の最大値を発生する、請求項１１に記載の方法。
【請求項２１】
圧迫ガーメントを製造する方法であって、前記方法は、
ａ）前記圧迫ガーメントのサイズチャ−トに、ある程度、基づいて、様々な軸方向位置（１２）、（１４）、（１６）、（１８）、（２０）、（２２）、（２４）、（２６）において様々な円周方向圧迫度を生成する圧迫ガーメント部分（６０）を製造するのに必要な、前記圧迫ガーメント部分（６０）の複数の円周方向生地長さ（１２Ｃ）、（１４Ｃ）、（１６Ｃ）、（１８Ｃ）、（２０Ｃ）、（２２Ｃ）、（２４Ｃ）を決定すること；
ｂ）均一な弾性を有している単一層の伸縮性織布生地（１０）に裁断して（１００５）、隣接する直線（２１５）又は湾曲部分（２１７）に関して角度がある少なくとも１つの直線セグメントを含む少なくとも１つの非線形縁部（２０６Ａ）、（２０８Ａ）を有している、前記伸縮性織布生地の少なくとも１枚の生地パネル（２）、（４）を成形すること；及び
ｃ）前記少なくとも１つの非線形縁部を、前記単一層伸縮性織布生地の別の縁部に接合することによって、前記圧迫ガーメント部分の軸（５９）に沿って延伸する縫い目（６５）を形成し、前記生地パネルを、それぞれ、前記圧迫ガーメント部分の一方の長手方向端部（２５）から、前記圧迫ガーメント部分の対向する長手方向端部（２７）へ完全に延伸させることによって、前記圧迫ガーメント部分（６０）を製造すること（１００７）を含む圧迫ガーメントを製造する方法。
【請求項２２】
前記ステップｃ）は、前記円周方向生地長は、前記様々な軸方向位置の少なくとも３つの連続する軸方向位置（２２３）、（２２５）、（２２７）に沿って増加し、かつ減少することを特徴とする、前記様々な軸方向位置（１２）、（１４）、（１６）、（１８）、（２０）、（２２）、（２４）、（２６）において、前記複数の円周方向生地長さを有するように、前記圧迫ガーメント部分を製造することを含む、請求項２１の方法。
【請求項２３】
前記ステップｃ）は、前記圧迫ガーメントを普通の着用者（７０）が着用して、前記圧迫ガーメントが延伸状態にある時、前記様々な軸方向位置において、様々な円周方向圧迫度を発揮するように、前記圧迫ガーメント部分を製造する、請求項２１の方法。
【請求項２４】
前記様々な円周方向圧迫度は、前記圧迫ガーメントを、前記普通の着用者（７０）が着用して、前記圧迫ガーメントが延伸状態にある時、前記軸方向位置の３つの連続する軸方向位置（１４）、（１６）、（１８）の少なくとも１つのグループに沿って増加し、次いで減少する圧迫値を含んでいる、請求項２３の方法。
【請求項２５】
前記様々な円周方向圧迫度は、少なくとも１つの前記軸方向位置において圧迫値ゼロ（０）を含んでいる、請求項２３の方法。
【請求項２６】
前記様々な円周方向圧迫度は、前記軸方向位置の中間において最大の圧迫値を含んでいる、請求項２３の方法。
【請求項２７】
前記ステップａ）は、前記複数の円周方向生地長さを式（１）に従って計算して、前記普通の着用者（７０）が前記圧迫ガーメントを着用して、前記円周方向ガーメント部分が延伸状態にある時、前記複数の様々な軸方向位置（１２）、（１４）、（１６）、（１８）、（２０）、（２２）、（２４）、（２６）のそれぞれにおいて、普通の着用者の肉体部分に負荷される望ましいガーメント圧Ｐを算出することを含む請求項２１の方法、
Ｐｉ＝（２０Π＊Ｆｉ）／Ｕｉ                （１）  
但し、前記圧迫ガーメント部分の前記複数の様々な軸方向位置（１２）、（１４）、（１６）、（１８）、（２０）、（２２）、（２４）、（２６）の対応する位置と関連したそれぞれの測定点ｉにおいて、Ｐ＝ガーメント圧迫（ｋＰａ）、Ｆ＝ガーメント圧迫力（Ｎ／ｃｍ）、及びＵ＝肉体部分の円周方向の長さ（ｃｍ）であり、かつ前記裁断は前記計算に基づく。
【請求項２８】
前記ステップａ）は、前記単一層伸縮性織布生地（１０）の少なくとも１つのパネルを使用してモデル円周方向ガーメント部分を製造すること（２００５）；
応力緩和状態の前記モデル円周方向ガーメント部分の応力緩和された円周方向長さを測定すること（２００７）；
前記モデル円周方向ガーメント部分を、前記それぞれの軸方向における既知の円周方向長さを有する肉体部分モデルに載置することによって前記モデル円周方向ガーメント部分を延伸して（２０１１）複数の延伸された円周方向長さを提供すること（２０１３）；
前記モデル円周方向ガーメント部分の前記軸方向位置における前記ガーメント圧Ｐを測定すること（２０１９）；及び
前記それぞれの軸方向位置において、前記測定されたガーメント圧Ｐに基づいて
ガーメント圧迫力Ｆを計算すること（２０２３）を含む請求項２７の方法。
【請求項２９】
前記ステップａ）は、
前記延伸された円周方向長さ及び前記応力緩和された円周方向長さを使用して、前記各軸方向位置おける延伸度を計算すること（２０１５）、（２０１７）；
前記伸縮性単一層織布生地（１０）の応力−歪み曲線及び前記各軸方向位置における前記算出された延伸度を使用して、前記各軸方向位置おける生地圧迫力ｆを決定すること（２０２９）；
前記算出されたガーメント圧迫力Ｆと前記決定された生地圧迫力ｆを比較することによって、縫い目補正ファクタを決定すること（２０１３）；
前記各軸方向位置における前記決定されたガーメント圧迫を発生させるのに必要な、必要ガーメント圧迫力Ｆを決定すること（２０３９）；
前記必要ガーメント圧迫力Ｆに前記縫い目補正ファクタを乗じて、前記各軸方向位置において、前記必要ガーメント圧迫力Ｆを、必要な生地圧迫力ｆに変換すること（２０４３）、及び
前記必要な生地圧迫力ｆ及び前記応力−歪み曲線を使用して前記円周方向生地長さを決定すること（２０５１）を更に含んでいる請求項２８の方法。
【請求項３０】
前記肉体部分モデルは、前記圧迫ガーメントの望ましいサイズと関連したサイズチャートを表わす寸法を含んでいる、請求項２８の方法。
【請求項３１】
前記ステップａ）は、前記単一層伸縮性織布生地（１０）の応力―歪み曲線、製造者特定サイズチャート、及び複数の前記様々な軸方向位置（１２）、（１４）、（１６）、（１８）、（２０）、（２２）、（２４）、（２６）のそれぞれにおける望ましい圧迫クラスに基づいている、請求項２１の方法。
【請求項３２】
前記すくなくとも１枚のパネル（２）、（４）は、単一パネルを含んでいて、かつ前記縫い目は、ヒート縫い目シール又は超音波溶着又はレーザー溶着によって形成された縫い目を含んでいる、請求項２１の方法。
【請求項３３】
前記伸縮性単一層織布生地（１０）はデニムである、請求項２１の方法。
【請求項３４】
前記伸縮性単一層織布生地（１０）はデニムで、前記圧迫ガーメント（１０）は、１対のパンツを含んでおり、前記圧迫ガーメント部分（６０）は、前記１対のパンツのパンツ脚部を含んでいる、請求項２１の方法。
【請求項３５】
非弾性生地で製造された円周方向ガーメント部分（５３）を、前記圧迫ガーメント部分（５１）の前記長手方向両端部（５５）に、前記軸（５９）に沿って接合することを、更に含んでいる請求項２１の方法。
【請求項３６】
請求項２１〜３５のいずれか１項の方法に従って製造される非均一性円周方向圧迫を有する圧迫ガーメント。
【請求項３７】
圧迫ガーメントは、１対のパンツである、請求項３６の圧迫ガーメント。
【発明の詳細な説明】
【技術分野】
【０００１】
本発明は、繊維産業分野に属するもので、衣服の製造に関する。本発明は、様々の異なる圧迫特性を有する伸縮性衣服、それを製造する方法、及び伸縮性圧迫ガーメントを着用するヒトに圧迫力を負荷する方法に関する。
【背景技術】
【０００２】
圧迫ガーメントは、着用者の肉体の複数の部位を圧迫する衣料品である。圧迫ガーメントは、多くの医療分野で、筋肉支持の改良、及び／又は血流促進等多くの目的に対して有用である。圧迫ガーメントは、運動の増進、筋肉疲労の軽減、及び筋肉回復の補助をするスポーツウェアとして人気がある。
【０００３】
医療及び治療用として設計された多くの圧迫ガーメントは、圧迫ストッキング、又は着用者の肉体部位の周りを包み、血行不良、リンパ水腫、血栓症、又は静脈及びリンパ系機能不全を治療するのに使用される衣服のような圧迫物品である。スポーツウェアとして設計された圧迫ガーメントは、スポ−ツをしている間、血行及び筋肉の動きを高める。これらの圧迫ガーメントは、筋肉の硬直による痛みを軽減し、その間、筋肉への血流と酸素飽和を向上させ、スポーツ活動を助長する。スポーツウェアとしての圧迫ガーメントには、多数の肉体の部位用の、シャツ、ショーツ、パンツ、タイツ、ソックス、スリーブス、及び下着がある。
【０００４】
衣服業界で製造されている通常の衣服は、多様な弾性を有する各種の衣服である。高度の弾性を有するガーメントは、破断することなく、かなりの長さに伸縮できるポリウレタン繊維等の多種多様の弾性材料で製造される。
【０００５】
弾性繊維としては、エラスタン及びスパンデックス、並びにその他の類似の繊維がある。低弾性の衣服は、多種多様の天然及び合成繊維を使用して製造することができる。低弾性繊維の弾性には限界があるが、回復性能は高い。様々な弾性率を有する多様な繊維は、特許文献１（複合伸縮性ヤーン、その製造方法及び編織布）に記載されている。
【０００６】
医療用及びスポーツ用の圧迫ガーメントは、従来、ニット技術で製造されている。然しながら、ニットで製造されたガーメントには、多くの欠点及び限界がある。この限界の一つは、ニット技術は、染色、洗濯、レーザー処理、及びその他の多様な織物処理に適しないことである。従って、ニットで製造された圧迫ガーメントは、非常に使用し難く、かつ好ましくない。
【０００７】
圧迫ガーメントには、様々な圧迫強度及び外観を有している様々な細長い生地（以下、「パネル」という）を複数枚使用し、かつそれらを一緒に接合することによって、ガーメントの様々の位置において、様々な圧迫レベルを示すものが得られる。ある例では、医療用の圧迫ガーメントを使用して血流を促進させ、ガーメント全体に亘って、様々な圧迫レベルを示すようにしている。このような圧迫ガーメントは、編織技術で製造されている。然しながら、上述したように、様々な圧迫レベルを有する生地圧迫ガーメントの欠点は、ガーメントの多様な領域において、様々な圧迫レベルを有するものとするために、様々な圧迫強度、及び様々な外観を有する多種多様の生地の多重パネルを使用して、それらを一緒に接合しなければならないことである。
【０００８】
特許文献２は、前記ガーメントの中の１つ以上の部位は、複数のエリアを有し、各エリアにおいて、各前記ガーメントの生地の弾性は、予め低減されているものを開示している。特に、これらの部位には、プリントされた模様が施されていてもよい。これらの部位においては、模様が施されている部分の生地の弾性は小さい。
【０００９】
特許文献３は、多重パネルで形成したガーメントを記載している。このガーメントにおいて、第２のパネルの伸縮性材料は、第１のパネルの伸縮性材料と比較すると、高い伸縮性及び回復特性を有している。
【００１０】
特許文献４は、様々な密度をもつように編織されているズボン用生地を有し、着用者の脚の関節により、骨盤の周りで外側に回転させる力を発生させるようになっているズボンを記載している。
【００１１】
特許文献５は、圧迫ガーメント、特に、循環機能を改善するようになっている下半身の全長に及ぶガーメントを記載している。特許文献５に記載されている圧迫ガーメントは、様々な多重生地パネルで製造されている。多様な外観を有する多重生地パネルは、縫い合わせてガーメントに成形される各セクションの多様性のため、及び各セクション間の縫い目の多様性のために、審美的に満足できるものではない。これは、使用者が、特別に外出するとき以外に、「普段着」のファッショナブルなガーメントとして着用したい場合には、特に問題がある。更に、複数の多重生地パネルを接合するための多重縫い目が各所にあり、かつ多重縫い目の相互作用により、全体として、着用者を不快にさせることは明らかである。
【００１２】
多重の圧迫強度を有する多重生地パネルは、多種多様なタイプの生地で製造される。単一の圧迫ガーメントを製造するのにも、多数の様々な生地が必要であり、多重の生地片を製造し、一緒に接合して、生地パネルを製造しなければならない。多種多様なタイプの生地が必要であるため、単一の圧迫ガーメントの製造コストは非常に高くなっている。
【先行技術文献】
【特許文献】
【００１３】
【特許文献１】米国特許出願公開第２０１４／０２６０１２９号明細書
【特許文献２】米国特許出願公開第２０１２／２１０４８７Ａ１号明細書
【特許文献３】米国特許出願公開第２０１２／２２２２１８７Ａ１号明細書
【特許文献４】米国特許出願公開第２０１２／１００７７８Ａ１号明細書
【特許文献５】米国特許出願公開第２０１３／１７４３１７Ａ１号明細書
【発明の概要】
【発明が解決しようとする課題】
【００１４】
本発明が解決しようとする第１の課題は、通常の衣料品の外観を有しており、ファッショナブルな日常着としても着用することができる生地からなる圧迫ガーメントを提供することである。
【００１５】
本発明が解決しようとする別の課題は、多様な圧迫力を発揮させるために、多種多様な別々の生地パネルを使用することなく、円周方向部分の複数の様々な軸方向の位置において、様々な円周方向圧迫度を有するガーメントを提供することである。
【００１６】
本発明が解決しようとする更なる課題は、一つ以上の軸方向の位置において、圧迫力を発揮しない部分を有し、複数の様々な軸方向の位置において、様々な円周方向圧迫度を有するガーメントを提供することである。
【００１７】
更に、本発明の目的は、デニム生地、特に仕上げ加工を施したデニム生地で製造された圧迫ガーメントを提供することである。
【００１８】
本発明が解決しようとする更に別の課題は、様々な圧迫度を有する円周方向部分で製造され、かつ、非圧迫性の円周方向衣服部分に接続された、円周方向部分の全長に亘って延びている少なくとも１枚の生地パネルから製造されたガーメントを提供することである。
【課題を解決するための手段】
【００１９】
これらの課題及び目的は、請求項１に記載した圧迫ガーメント、請求項１１に記載した普通の着用者に不均一な圧迫力を付与する方法、及び請求項２１に記載した圧迫ガーメントを製造する方法によって達成される。本発明は、生地の弾性がガーメント全体に亘って同じであるが、円周方向の圧迫力が異なるガーメントを提供するものである。
【００２０】
幾つかの態様において、作用する円周方向圧迫力は、軸方向に沿って徐々に変化し、また、幾つかの態様においては、円周方向圧迫力は、一つの軸方向に沿って急に変化し、特定の圧迫プロファイルを形成する。幾つかの態様においては、圧迫度は、軸方向に沿って連続的に変化し、他方、別の態様では、円周方向圧迫は、単一の軸方向に沿って増減し、それによって、多様な治癒力がある圧迫モデルが提供される。
【００２１】
本発明は、均一な弾性特性を有する伸縮性生地の単一層のみから製造された円周方向部分を含む圧迫ガーメントを提供するものである。円周方向部分は、少なくとも１枚の伸縮性生地のパネルを含んでいる。生地パネルは、それぞれ、一つの長手方向端部から、対向する円周方向部分の長手方向端部へ延びている。前記円周方向部分は、軸に沿って延びており、かつ軸方向に延びた縫い目と、軸方向の様々な複数の位置において、様々な円周方向の長さを有している。円周方向の長さは、複数の様々な軸方向位置の少なくとも３つの連続した軸方向位置に沿って、長く、或いは短くなる。
【００２２】
幾つかの態様において、圧迫ガーメントの少なくとも１枚の生地パネルは、縫い目部分を形成する縁部を含んでおり、かつ、互いに角度がある複数の直線状セグメント、及び／又は湾曲部分に対して角度がある直線状セグメントを有している。
【００２３】
幾つかの態様において、着用者が着用して、円周方向部分が延びた時、円周方向の圧迫値は、最初は、小さく、次いで大きくなり、次に、複数の異なった軸方向位置の三つの連続した軸方向位置の少なくとも１グループに沿って小さくなった場合、円周方向部分は、複数の異なった軸方向位置で、異なった円周方向圧迫値をもつようになっている。
【００２４】
幾つかの態様において、普通の着用者が圧迫ガーメントを着用して、円周方向部分が延びた場合、複数の様々な軸方向位置の少なくとも１つにおける円周方向圧迫値はゼロ（０）になる。幾つかの態様において、普通の着用者が圧迫ガーメントを着用して、円周方向部分が延びた場合、複数の様々な軸方向位置の中間位置に、最大円周方向圧迫がある。幾つかの態様において、普通の着用者がパンツ脚部を履いた場合、円周方向部分は、１つのパンツ脚部を含んでおり、様々な円周方向の長さは、複数の様々な円柱方向圧迫値を有し、軸方向に沿って傾斜する圧迫力を生成し、ふくらはぎ部分で最大圧迫となる。
【００２５】
幾つかの態様において、円周方向部分は、伸縮性生地のパネルだけを有している。
【００２６】
幾つかの態様において、圧迫ガーメントは、１対のジーンズを含んでおり、伸縮性生地は伸縮性デニムで、円周方向部分は一つのパンツ脚部を含んでいる。
【００２７】
幾つかの態様において、圧迫ガーメントは、円周方向部分の長手方向端部に結合された更に別の非圧迫性円周方向部分を含んでいる。前記別の非圧迫性円周方向部分は、軸に沿って延びており、かつ非弾性生地で製造されている。
【００２８】
また、本発明の開示により、医療用の圧迫ガーメントが提供される。圧迫ガーメントは、種々の医療用に応用され、血行不良、リンパ浮腫、血栓症、又はその他種々の静脈及びリンパ系疾患の治療に使用することができる。
【００２９】
本発明の開示により、典型的な着用者に非均一な圧縮力を与える方法が提供される。前記方法は、均一な弾性を有する伸縮性の生地で織られた単一層だけで製造された円周方向部分を含む圧迫ガーメントを提供することを含んでいて、前記円周方向部分は、伸縮性の生地で織られた単一層の少なくとも１枚の生地パネルを含んでいる。各生地パネルは、円周方向部分の、一方の長手方向端部から対向する長手方向端部へ完全に延びている。円周方向部分は、軸、軸方向に延びた縫い目、および複数の様々な軸方向位置において多様な円周方向長さを有している。円周方向長さは、前記円周方向部分が応力緩和状態にある場合、前記複数の様々な軸方向位置の３つの連続する軸方向位置に沿って長くなり、かつ短くなる。更に、前記方法は、円周方向部分を典型的な着用者の肉体部分に着用させ、典型的な着用者に、円周方向部分の複数の多様な軸方向位置において、円周方向における様々なガーメント圧縮力を付与することを含んでいる。
【００３０】
幾つかの態様において、前記方法は、縫い目部分を形成する縁部を含み、かつ相互に角がある複数の直線部分及び複数の湾曲部分を含んでいる少なくとも１枚の生地パネルを含んでいる。
【００３１】
幾つかの態様において、前記円周方向部分は、複数の様々な軸方向位置において、様々な程度で、延伸させられる。
【００３２】
幾つかの態様において、前記延伸は、円周方向部分を複数の様々な軸方向位置において、同じ程度で、延伸させられる。
【００３３】
幾つかの態様において、前記延伸は、軸方向に沿った複数の様々な軸方向位置の少なくとも３つの連続軸方向位置に沿って、増加し、かつ、減少するガーメント圧縮値を生成する。
【００３４】
幾つかの態様において、伸縮性は、軸方向位置の少なくとも１つにおいて、ゼロ（０）となるガーメント圧迫値を有している。
【００３５】
幾つかの態様において、様々な複数の軸方向位置の少なくとも中間位置において、ゼロ（０）となるガーメント圧迫値を有している。
【００３６】
幾つかの態様において、本発明の方法は、パンツ脚部を製造し、単層の伸縮性生地は、伸縮性デニムである。
【００３７】
幾つかの態様において、本発明の方法は、弾力性の無い生地で製造された更に別の円周方向部分と、円周方向部分の長手方向において軸に沿った端部の一つとを結合させることを更に含んでいる。
【００３８】
幾つかの態様において、延伸ステップは、軸方向位置の中間位置において、ガーメント圧迫力の最大値を示す。
【００３９】
本発明は、圧迫ガーメントの製造方法をも提供するものである。本発明の圧迫ガーメントの製造方法は、部分的に、圧迫ガーメントの寸法図に基づき、圧迫ガーメント部分の様々な軸方向の位置において、様々な円周方向圧迫度を付与するのに必要な複数の円周方向生地の長さを決定することを含んでいる。
【００４０】
本発明の圧迫ガーメントを製造する方法は、均一な弾性を有する単層の伸縮性生地に裁断して、伸縮性生地の少なくとも１枚の生地パネルであって、隣接する直線又は湾曲部分に関して角度をもった少なくとも１つの直線セグメントを含む少なくとも１つの非線形縁部を有するパネルを製造することを含んでいる。
【００４１】
更に、本発明の圧迫ガーメントを製造する方法は、少なくとも１つの非線形縁部を、更に別の単一層の伸縮性生地の別の縁部に結合させ、各生地パネルが、一つの長手方向端部から、圧迫ガーメント部分の対向する長手方向端部に完全に延びるように、圧迫ガーメント部分の軸に沿って延びる縫い目を形成することを含んでいる。
【００４２】
更に、本発明の圧迫ガーメントを製造する方法の幾つかの態様において、様々な円周方向の圧迫は、圧迫ガーメントを普通の着用者が着用して、圧迫ガーメントが延伸状態にある時、大きくなり、次いで小さくなり、次いで軸方向位置の３つの連続した軸方向位置の少なくとも１つのグループに沿って大きくなる圧迫値を含んでいる。
【００４３】
更に、本発明の圧迫ガーメントを製造する方法の幾つかの態様においては、様々な円周方向圧迫度は、少なくとも１つの軸方向位置において圧迫度ゼロ（０）を含んでいる。
【００４４】
更に、本発明の圧迫ガーメントを製造する方法の幾つかの態様においては、様々な円周方向圧迫度は、軸方向位置の中間位置において、最大圧迫を含んでいる。
【００４５】
幾つかの態様において、本発明の圧迫ガーメントを製造する方法は、複数の円周方向生地の長さを計算し、式（１）に従って、複数の様々な軸方向位置のそれぞれの位置において、着用者によって着用された円周方向ガーメント部分が延伸状態にある場合に、着用者の肉体部分に影響を及ぼす好ましいガーメント圧Ｐを提供する。
Ｐｉ＝（２０Π＊Ｆｉ）／Ｕｉ                （１）
但し、圧迫ガーメント部分の複数の様々な軸方向位置の対応する一つと関連している各測定点ｉにおいて、Ｐ＝ガーメント圧（ｋＰａ）、Ｆ＝ガーメント圧迫力（Ｎ／ｃｍ）、及びＵ＝円周方向の肉体長さ（ｃｍ）、但し、前記裁断は計算に基づく。
【００４６】
幾つかの態様において、本発明の圧迫ガーメントを製造する方法は、単層の伸縮性生地の少なくとも１枚のパネルを使用して、モデルとしての円周方向ガーメント部分を製造すること、複数の様々な軸方向位置のそれぞれにおける、弛緩状態にある前記モデルの円周方向ガーメント部分の応力緩和した円周方向の長さを測定すること、前記モデルの円周方向ガーメント部分を、それぞれの軸方向位置における円周方向の長さが予め分かっている肉体部分モデルの上に載置することによって、前記モデルの円周方向ガーメント部分を延伸し、複数の延伸した円周方向の長さを提供すること、前記モデルの円周方向ガーメント部分のそれぞれの軸方向位置におけるガーメント圧Ｐを測定すること、及び測定したガーメント圧Ｐに基づくガーメント圧迫力Ｆを算出することを含んでいる。
【００４７】
幾つかの態様において、前記製造方法は、前記延伸した円周方向に長い生地及び応力緩和した円周方向に長い生地を使用して、それぞれの軸方向位置における延伸率を計算すること、伸縮性単層生地の応力−歪み曲線及びそれぞれの軸方向位置における算出した延伸率を使用して、それぞれの軸方向位置における生地圧迫力を決定すること、計算したガーメント圧迫力Ｆを、決定した生地圧迫力ｆと比較して、縫い目補正率を決定すること、
それぞれの軸方向位置における望ましいガーメント圧迫を生成するのに必要なガーメント圧迫力Ｆを決定すること、必要なガーメント圧迫力Ｆに前記縫い目補正率を乗ずることによって、必要なガーメント圧迫力Ｆを、それぞれの軸方向位置における生地圧迫力ｆに変換すること、及び前記必要な生地圧迫力ｆ及び応力−歪み曲線を使用して、円周方向生地長さを決定することを更に含んでいる。
【００４８】
前記製造方法の幾つかの態様において、肉体部分モデルは、圧迫ガーメントの望ましいサイズに関連した寸法チャートを表わす寸法を含んでいる。
【００４９】
前記製造方法の幾つかの態様において、前記計算は、単層伸縮性生地の応力−歪み特性、製造業者が特定した寸法チャート、及び複数の様々な軸方向位置のそれぞれにおける望ましい圧迫レベルに基づいて実行される。
【００５０】
前記製造方法の幾つかの態様において、前記少なくとも１枚のパネルは、単一のパネルである。
【００５１】
前記製造方法の幾つかの態様において、伸縮性単層生地は、デニムである。
【００５２】
前記製造方法の幾つかの態様において、前記伸縮性単層生地はデニムであり、圧迫ガーメントは、１対のパンツを含んでおり、圧迫ガーメント部分は、前記対のパンツのパンツ脚部を含んでいる。
【００５３】
幾つかの態様において、前記製造方法は、非弾性生地で製造された円周方向ガーメント部分を、圧迫ガーメント部分の長手方向両端部の一つに、かつ軸に沿って接合することを更に含んでいる。
【００５４】
本発明は、さらに本発明の製造方法及び幾つかの態様によって製造された不均一性の円周方向圧迫力を有する圧迫ガーメントを提供するものである。
【発明の効果】
【００５５】
様々な多重生地パネルを縫い合わせて製造されていた従来の圧迫ガーメントは、多重縫い目が様々な箇所にあり、かつ多重縫い目が集まって、全体として、着用者を不快にさせ、審美的に満足できるものではなかった。他方、本発明の圧迫ガーメントは、均一な弾性を有しており、少なくとも１枚の生地パネルを含んでいる単一層の伸縮性生地だけで製造された円周方向部分から構成されているので、医療用及びスポーツ用としての圧迫ガーメントの本来の機能はもとより、ファッショナブルな日常着としても着用することができる副次的な効果を発揮するものである。
【図面の簡単な説明】
【００５６】
本発明を何ら制限するものではない実施例、及び添付した図面を参照することにより、以下の詳細な説明から、本発明をよく理解しうると思う。
【図１】結合して１対のジーンズ用パンツ脚部を製造することができる２枚の伸縮性生地を示す図。２枚の伸縮性生地は、それぞれ、本発明の構成によって裁断された幾何学的形状を有している。
【図２】結合して１対のジーンズ用パンツ脚部を製造することができる２枚の伸縮性生地の別の態様を示す図。２枚の伸縮性生地は、それぞれ、本発明の構成によって裁断された幾何学的形状を有している。
【図３】結合して１対のジーンズ用パンツ脚部を製造することができる２枚の伸縮性生地の更に別の態様を示す図。２枚の伸縮性生地は、それぞれ、本発明の構成によって裁断された幾何学的形状を有している。
【図４】従来技術によって裁断されたパンツ脚部と、本発明によって裁断されたパンツ脚部の一部分である生地のパネルの一態様との比較図。
【図５】一緒に結合されて、本発明の一態様によるパンツ脚部を形成する、図１に示した２枚の伸縮性生地の図。
【図６】普通の着用者が着用するべく、本発明によって製造された圧迫ガーメントのパンツ脚部を示す図。
【図７】非弾性材料で製造された円筒形ガーメント部分に結合された伸縮性弾性材料で製造された円筒形圧迫ガーメント部分で製造されたガーメント部分を示す図。
【図８】本発明によって製造された圧迫ガーメントの圧迫ソックスの一例を示す図。
【図９】本発明による圧迫ガーメントを製造するのに使用する方法を示すフローチャート。
【図１０Ａ】本発明による圧迫ガーメントを製造するのに使用する方法の更なる詳細を示すフローチャート。
【図１０Ｂ】本発明による圧迫ガーメントを製造するのに使用する方法の更なる詳細を示すフローチャート。
【発明を実施するための形態】
【００５７】
本発明の、幾つかの態様により、伸縮性生地で製造された圧迫ガーメントが提供される。このガーメントは、着用者の肉体部分を包む少なくとも１つの円周方向部分を備えている。幾つかの態様では、前記ガーメント又はガーメントの少なくとも円周方向部分は、単一の生地で製造されている。
【００５８】
本発明の効果的な幾つかの態様によれば、伸縮性生地自体は、均一性、即ち一定の弾性を有している。一方、他の態様では、弾性は、生地全体で変化する。ガーメントは、デニムガーメントが好ましい。本発明の効果的な幾つかの態様によれば、圧迫ガーメントは、１対のソックス又は１対のパンツ或いはズボンである。ガーメントの圧迫は円周方向に作用する。前記ガーメントの圧迫は、ガーメントの円周方向全体に均一か、又は、ガーメントが、普通の着用者によって着用された時、即ちガーメントが伸びて、ストレスを受けた時、円周方向部分の異なった軸方向位置に沿って変化し得る。
【００５９】
圧迫ガーメント全体に均一に圧迫する円周方向ガーメント、又は圧迫ガーメントの軸方向位置に沿って効果的に変化し得る圧迫値を有している円周方向ガーメントは、軸方向又は長手方向に沿って相互に結合される複数の生地ピースを必要としない。むしろ、横方向に結合されて、長手方向に延びる単数または複数の縫い目を形成する１枚の生地ピース、又は２枚以上の生地ピースを使用して、均一又は様々な軸方向位置で効果的に変化し得るガーメント圧迫を生成することができる。単数の生地パネル又は複数の生地パネルのそれぞれは、円周方向部分の長手方向の一端から、対向する長手方向端部まで完全に延びている。明細書、特許請求の範囲、図面及び要約書を通じて、用語「円周方向部分」「管状部分」、又は「円筒形部分」は、互換的に使用され、脚、腕、足、足首、手首、前腕、胴、又はそれらの部分のような着用者の肉体部分の周りに着用されるガーメント又はガーメント部分を意味する。幾つかの態様では、多重生地パネルは、着用される伸縮性生地タイプから製造される。即ち、生地パネルは、それぞれ、均一の弾性を有する生地のような同じ材料で製造され、結合されて、圧迫ガーメントの筒状部分になる。
【００６０】
本発明によって、ヒト又は他の動物の血行不良、リンパ腫、血栓症、又は他の静脈、及びリンパ系機能障害を治療する方法が提供される。この方法は、本発明の種々の特徴による圧迫衣服を製造すること、及び治療用の圧迫ガーメントの円周方向部分を着用する着用者を含んでいる。
【００６１】
本発明は、前述したガーメントを、ヒト又は他の動物の血行不良、リンパ腫、血栓症、又は他の静脈及びリンパ系機能障害の治療へ使用することを含んでいる。
【００６２】
本発明により、寸法を計算して、対応する幾何学的裁断片を形成し、望ましい寸法、及び種々の軸方向位置において望ましいガーメント圧迫を伴った円周方向ガーメント部分を製造する方法が提供される。
【００６３】
圧迫ガーメントは、円周方向部分の様々な軸方向位置において、複数の円周方向バンドを有していることを特徴とする。前記の「バンド」の全ては、単又は複数の同じ生地材料で製造されており、用語「バンド」は、単に、軸方向、即ち筒状ガーメント部分の長手方向に沿って限定された長さを含んでいる筒状ガーメント部分の軸方向位置を意味しているに過ぎない。換言すれば、いわゆる「バンド」の軸方向位置とは無関係に、バンドは、単に、ガーメントの様々な軸方向位置を表している。本発明の態様において、バンドは、全て単一の生地材料で製造されており、円周方向部分は、１枚の生地パネルで製造されているか、それぞれ、同じ円周方向に結合されている２枚のパネルで製造されており、結合されて円周方向部分を形成する。幾つかの態様において、円周方向部分のパネルは、円周方向部分の長手方向端部から、対向する長手方向端部まで完全に延びている。円周方向バンドは、円周方向部分の様々な軸方向位置に沿って変化する圧迫値を付与するように、即ち、円周方向バンドは、様々な軸方向位置で様々な圧迫値を付与するように製造することができる。円周方向部分は、様々な軸方向位置で、望ましい圧迫度を発揮するように製造される。幾つかの軸方向位置は、同じ圧迫度を含んでいるが、適用される圧迫は、円周方向部分の全体に亘って、全ての軸方向位置で同じではない。普通の着用者が圧迫ガーメントを着用した時、円周方向バンドは、様々な伸縮度を示すか、又は同じ伸縮度を示す。幾つかの態様では、様々な軸方向位置において、様々な伸縮度を示し、結果として、適用される圧迫は様々なものとなる。更に、幾つかの態様において、以下に記載するように、同じ伸縮度によって、様々なガーメント圧迫が生成される。
【００６４】
「伸縮度」は、応力緩和状態の生地の長さに対する特定時間の生地の伸張長さを意味する。
【００６５】
明細書、特許請求の範囲、図面及び要約書で使用する用語「着用者」、及び表現「普通の着用者」は、主として、特定のガーメントサイズ及びタイプに関して、正常な形状、サイズ、及び相対サイズ範囲、即ち、特定のガーメントタイプ及びサイズを着用するヒトにとって、平均的又は正常な範囲内にある形状、サイズ、及び相対サイズで規定された解剖学的構造を有しているヒトに対して使用する。幾つかの態様において、普通の着用者とは、肉体部分の寸法が、特定のガーメントの特定サイズに関するサイズ、又は寸法チャートに等しい肉体部分寸法を有している着用者である。
【００６６】
ガーメントの圧迫は、普通の着用者がガーメントを着用した時、即ち圧迫ガーメントの円周方向部分が延びて、応力が掛かった状態にある時に発揮される。
【００６７】
本発明は、生地を幾何学的又は他の形状に裁断して、生地の少なくとも１枚のパネルを形成する。前記パネルは、少なくとも１つの非線形縁部を有している。非線形縁部は、ギザギザの鋭角部分、即ち互いに角度がある直線部分を含んでいてもよく、さらに、又は湾曲部分を含んでいてもよい。パネルは、別のパネル又は同じ生地パネルの別の縁部と接合されて、圧迫ガーメントの円周方向部部分を形成する。パネルは、それぞれ、円周方向部分の１つの長手方向端部から、別の長手方向端部に延びている。
【００６８】
一つの態様において、生地の弾性は、生地全体で均一であり、形成されたガーメントは、着用者が着用した時、様々な円周を有する解剖学的構造位置を含む全ての位置で均一な圧迫を発揮する。均一な弾性ガーメントに関するこの態様において、幾何学的裁断により、ガーメントに沿った種々の位置において、特定の生地寸法及び圧迫レベルが形成されるので、伸縮度は、様々な軸方向位置において変化し、円周方向部分全体で同じガーメント圧迫を発揮する。換言すれば、様々な位置における均一な圧迫は、本発明の態様によって使用者がガーメントを着用した時、ガーメントが様々な伸縮度を与えるように寸法設計することによって与えられる。圧迫は、円周方向で、ガーメントによって作用される力である。
【００６９】
効果的な態様において、生地の弾性は、生地自体の全体に均一である。一方、圧迫は、普通の着用者が着用した時、伸縮度が様々な、又は同じであるので、円周方向部分の様々な位置において異なっている。
【００７０】
本発明は、均一、即ち一定の、又は不均一な弾性を有する伸縮性生地、及び生地を幾何学的又は他の形状に裁断して、生地の少なくとも１枚のパネルを製造する方法をも提供するものである。幾何学的裁断は、生地及び製造しようとするガーメントに関する種々の要素を考慮した計算によって決定される。製造される生地は、少なくとも１つの非線形縁部のような様々な形状を含む縁部を有していてもよく、また、エンジニヤリングパターン設計によって決定される種々の位置において、特定の寸法を有している。
【００７１】
パネルは、別のパネル又は生地パネルの別の縁部と結合されて、１本の縫い目、及び圧迫ガーメント又は圧迫ガーメントの円周方向部分を形成する。圧迫ガーメント又は圧迫ガーメントの円周方向部分は、生地の弾性が、生地全体で均一又は異なっている態様を含めて、全ての軸方向位置で圧迫が均一である。圧迫ガーメントの円周方向部分は、円周方向部分の長手方向に沿って配置され、かつ相互に結合されている複合的な生地パネルを必要としない。
【００７２】
圧迫ガーメントは、円周方向部分を備えている。前記円周方向部分は、着用者の肉体を包み、かつ軸方向に沿った様々な位置、従って、着用者が着用した時、様々な円周方向長さを有するヒト解剖学的構造の様々な位置に対して算出された望ましいガーメント圧迫度を有している。
【００７３】
裁断は、ガーメントを着用した時、望ましい延伸度を付与し、かつガーメントの様々な位置において望ましい圧迫効果を発揮するように計算した様々な位置における特定のガーメント寸法を提供する工学的パターン設計に基づいて実行される。幾何学的裁断によって、１つ以上の特注の縁部を有する生地パネルが製造される。生地パネルを使用し、生地パネルの２つの縁部を一緒に結合して円周方向部分を形成することによって、圧迫ガーメントを製造した場合、着用した時、円周方向部分は、様々な位置において、望ましい圧迫度を発揮する。
【００７４】
円周方向位置で発揮される圧迫は、生地のタイプ、ガーメントの延伸度、更には、ガーメントの特定の位置における着用者の解剖学的構造の周囲に依存している。
【００７５】
着用者の肉体部分に作用する圧迫、即ちガーメント圧Ｐは、下記の式（１）から算出される。
Ｐｉ＝（２０π＊Ｆｉ）／Ｕｉ                （式１）
但し、
Ｐ＝測定点（ｉ）におけるガーメント圧迫（ｋＰａ）
Ｆ＝測定点（ｉ）におけるガーメント圧迫力（Ｎ／ｃｍ）
Ｕ＝測定点（ｉ）におけるガーメントの周長（ｃｍ）
【００７６】
ガーメント圧迫は、着用者がガーメントを着用した時のように、ガーメントが延伸された状態の時に発揮される。この状態において、Ｕ、即ち測定点ｉにおけるガーメントの周長は、測定点ｉにおける肉体部分の周長と同じである。ガーメント圧迫力（Ｆ）は、ガーメントの延伸度で決定される。延伸度は、延伸度の函数としてガーメント圧迫力を示す応力−歪み曲線を使用して、ガーメント圧迫力（Ｆ）に変換される。
【００７７】
延伸度は、ガーメントの弛緩状態の長さよりも、延伸されたガーメントの長さに依存していて、かつ特定の測定位置（ｉ）における着用者の解剖学的構造の寸法に依存している。延伸度が決定されると、延伸度を、特定の生地に関連した応力−歪み曲線と協働して使用し、ガーメント圧迫力（Ｆ）値を得る。式（１）は、脚の周長（Ｕ）が異なっている位置で、様々な延伸度が同じガーメント圧迫（Ｐ）を発揮できることを示している。
【００７８】
幾何学的裁断を決定するのに使用する計算は、多くのファクタに基づいており、様々な式又はアルゴリズムを使用して、様々な位置における望ましい圧迫を生成する幾何学的裁断を行なうことができる。
【００７９】
ファクタには、生地の応力−歪み特性、サイズ、又はブランドに基づくガーメントの寸法チャート、縫い目の補正、及びその他様々な補正要素、及び圧迫標準規格等がある。望ましい圧迫は、望ましい圧迫等級、及び様々な他の要因に基づいている。前述した内容及び要素を考慮した様々なアルゴリズム及び数式を使用して、多様なダイアグラムが形成される。
【００８０】
本発明の態様によって、多種類の圧迫ガーメントが製造される。ガーメントの円周方向部分とは、袖スリーブ又は膝スリーブ及び脚スリーブのようなスリーブ、靴下、シャツ、カラー、またはその他様々な部分である。幾つかの態様において、圧迫ガーメント自体は、円周方向ガーメント、即ち、ソックス、又は複数の膝スリーブ及び複数の脚スリーブのように、着用者の１つの肉体部分を包むガーメントである。本発明の幾つかの態様は、着用者の膝にまで延びる圧迫ソックスを提供するが、違う長さの圧迫ソックスも提供する。幾つかの態様において、「圧迫ソックス」は、実際に、着用者の足首から膝まで達するスリーブである。即ちそれらは、着用者の足まで覆うものではない。本発明の幾つかの態様は、手首サポート、肘サポート、膝サポート、又は足首サポート等圧迫装具を提供する。幾つかの態様において、圧迫ガーメントは、１対のタイツである。幾つかの態様において、圧迫ガーメントは、普段着のファッションガーメントである。幾つかの態様において、圧迫ガーメントは、１対のパンツ又は伸縮性デニムで製造されたジーンズであって、多くの態様において、デニムパンツは、足首で圧迫度が大きく、それぞれのパンツ脚部に沿って上に向かって圧迫度が小さくなっている。他の態様において、圧迫ガーメントは、１対のパンツ又は伸縮性デニムで製造された圧迫ソックスであり、円周方向に発揮される圧迫力度は異なっている。
【００８１】
図１は、生地の２枚のパネルを示している。これらは結合されて、１対のパンツ又はジーンズの脚部を形成する。図１は、結合してパンツ脚部を形成する生地の２枚のパネルを示しているが、様々な別の態様において、本発明に従ったガーメント長計算及び幾何学的裁断を使用して製造された生地パネルを使用して、圧迫ソックス又はスリーブ、或いは前述した他のガーメントのような別の円周方向ガーメント、及び円周方向ガーメント部分を製造できることを理解されるべきである。他の態様では、１枚のパネル又は複数のパネルを、様々な他の形状とし、かつ使用して、様々な他のガーメント及びアパレルを製造することができる。
【００８２】
図１に示す前方パネル２及び後部パネル４は結合されて１対のズボン、即ちジーンズ又はパンツのパンツ脚部を形成する。前方パネル２は、裁断縁部６によって画定されており、後部パネル４は、裁断縁部８によって画定されている。図示した態様では、前方パネル及び後方パネル４は、それぞれ、生地１０で形成されている。生地１０は、前述した適切な伸縮性生地なら如何なるものでもよい。効果的な態様では、生地１０は、生地全体で弾性が一定であることを特徴としている。均一の弾性の幾つかの態様では、縦糸方向の弾性は、横糸方向の弾性とは異なっていてもよい。他の態様では、縦糸方向及び横糸方向の弾性は同じである。他の複数の態様では、弾性は生地１０全体で違っている。幾つかの態様において、生地１０は、未処理の生地である。幾つかの態様において、生地１０は、表面塗布していない生地である。幾つかの態様において、生地１０は、未処置及び表面塗布していない生地である。別の態様においては、２枚以上の生地パネルが、生地１０、即ち均一の弾性を有する同じタイプの生地から製造される。これら２枚のパネルは結合されて、圧迫ガーメントの円周方向部分を形成する。各パネルは、形成された円周方向部分の全長に沿って延びている。前述した又は後述する幾つかの態様において、前方パネル２、及び／又は後方パネル４は、均一な弾性、又は不均一な弾性を有している。
【００８３】
幾つかの態様において、生地１０は、本発明に従って製織された生地である伸縮性生地であると効果的である。生地１０は、非弾性又は弾性ファイバーを含んだ混合製織生地材料でもよい。様々な効果的な態様に従って、生地１０は伸縮性製織デニムであるが、他の態様では、生地１０は、様々な他の適切な伸縮性生地の１つであればよい。
【００８４】
生地１０は、エラスタン及びスパンデックス、及びその他類似の材料の様な高弾性率の様々なタイプの弾性繊維で製造される。生地１０は、単層又は単一レベルの材料が効果的的である。生地１０に使用され、かつ低弾性率の繊維としては、天然の繊維、及びポリエステル、レーヨン、ナイロン、ポリエステルのような合成繊維、及びＰＢＴのようなエラストマルチエステル，及びバイオコンポーネントポリエステルポリ（トリメチレンテレフタレート）／ポリエチレンテレフタレート（ＰＴＴ／ＰＥＲ）が例示される。確認された弾性繊維は、単なる例であって、様々な態様においては、様々な別の適切な弾性繊維又は様々な弾性繊維の組み合わせを使用して生地１０を製造することができる。弾性繊維は、同じ又は様々な弾性率を有する同じ又は様々な繊維で製造される。幾つかの態様において、２種類の弾性繊維を使用して、生地１０のヤーンが製造されるが、前記弾性繊維の１つは、原長の４００％まで伸びる伸張度があり、他の１つの弾性繊維は、原長の約２０％しか伸びない低伸張性繊維である。別の態様では、生地１０を製造するのに使用される繊維は、様々な弾性率を有している繊維の組合わせである。幾つかの態様において、軟質セグメント及び硬質セグメントを組み合わせた構成を有していて特別な弾性を有する熱可塑性エラストマー及び熱可塑性ポリウレタン（ＴＰＵ）が使用される。多種多様な弾性ポリウレタン材料が、集合的にエラスタンと使用される。
【００８５】
生地１０は、生地材料の単層である。生地１０は、結合されて複合繊維をはじめとして様々なヤーンを形成する様々な繊維から製造される。幾つかの態様においては、非弾性及び弾性繊維は、生地１０の縦糸方向及び横糸方向の両方に伸びる。幾つかの態様においては、弾性材料は、モノフィラメント及び／又はステープルファイバーに紡糸され、そのまま、又は他の繊維と一緒にヤーンとして使用される。幾つかの態様においては、生地１０は、１つ以上の弾性繊維の弾性コアを含んでおり、かつ前記コアを覆う非弾性シースを有する弾性ヤーンで製造される。一つの特定の態様においては、弾性コアは、原長の４００％の伸張度ある高弾性繊維と、原長の約２０％の伸張度の低弾性繊維の２本の弾性繊維を含んでいる。他の態様においては、生地１０を製造するのに使用される繊維は、様々な弾性率を有する繊維の組み合わせである。非弾性シースは、コットン、又は他の天然繊維或いは合成繊維で製造される。弾性特性を有する１本以上の複合繊維を含伸縮性コアと、絶縁性シース被覆を組み合わせることによるヤーンを製造する方法は、米国特許出願公開第２０１３／０２６０１２９号明細書に開示されている。なお、米国特許出願公開第２０１３／０２６０１２９号明細書に記載されている内容の全ては、本明細書の一部を構成するものとして援用する。弾性コアヤーンを使用する幾つかの態様において、コアは、１本以上の複合繊維の１束を含んでおり、その内の幾つか又は全ては、弾性繊維である。コアを形成する繊維は、撚り、混合、又は同時押し出しによって一緒に結合される。繊維を交絡する態様において、繊維は様々な交絡度に交絡される。弾性コアは、１つ以上のコア繊維によって付与される優れた回復性、及びレジリエンス性を特徴としている。
【００８６】
コア繊維紡績技術及びリング繊維紡績技術は、繊維産業界で、周知の汎用技術であり、それぞれ様々な性質を有する２本以上の繊維を結合して、１本のヤーン構成体を形成する技術を含んでいる。繊維を紡糸して、ヤーンを製造するその他の多種多様な方法を使用して、生地１０を製造することができる。
【００８７】
生地１０は、本発明の様々な態様によって、圧迫ガーメントを製造するために使用することができる下記の生地で製造することもできる。非染色生地、及びインディゴ、反応性、ピグメント、及び硫黄後染め化工生地のようなあらゆるタイプの染色生地を、生地１０として使用することができる。ビスコース、レーヨン、モダル、キュプラ（テンセルのような有枝鎖繊維）のようなセルロース系繊維と、コットンとのブレンドのような繊維を有する生地を生地１０として使用することができる。リネン、ウール、カシミア等のような天然繊維の混合繊維を生地１０として使用することができる。本発明の態様により、コットンと、ポリエステル、ｐｂｔ（ポリブチレンテレフタレート）、ナイロン６．０、ナイロン６．６［例、コーヂュラ（ＣＯＲＤＵＲＡ（登録商標））、Ｔ４００（登録商標）等］のような人造繊維との混合繊維を使用して生地１０を製造することができる。ポリエステル、ナイロン等のようなステープル又はフィラメント繊維のような繊維を使用して製造された様々な生地も使用することができる。上述した繊維と共に製造された平織、綾織、キャンバス（パナマ）、サテン、及びドビータイプの織布等様々なタイプの織布を使用して、生地１０を製造することができる。横糸方向、縦糸方向、及び横糸及び縦糸両方向にエラスタンを使用した伸縮性織布、又はエラスタン、ｐｂｔ（ポリブチレンテレフタレート）、Ｔ４００（登録商標）、ポリエステル等のような弾性繊維との伸縮性メリヤス生地も使用できる。幾つかの態様において、生地３は、生地質量が１ｏｚ／ｓｑｙｄ（３３．９０６ｇｒ／ｓｑｍ）〜１４ｏｚ／ｓｑｙｄ（４７４ｇｒ／ｓｑｍ）の生地であるが、他の態様では、様々な生地質量も使用される。
【００８８】
幾つかの態様において、前方パネル２及び後方パネル４は、両方とも、前述した生地１０で製造される。幾つかの態様では、前方パネル２及び後方パネル４は、同じ生地で製造される。生地、即ち生地１０は、均一な弾性を有している点が有利である。別の態様では、前方パネル２だけ、又は後方パネル４だけが前述した生地１０で製造されており、前方パネル２及び後方パネル４の他方は、別の生地材料で製造されている。
【００８９】
本発明の一態様によって、均一な弾性を有する生地１０で製造された１枚のパネルを、様々な材料の生地に結合させて、パンツ脚部又は他の円周方向圧迫ガーメント又はガーメント部分を製造して、円周方向圧迫ガーメント又はガーメント部分が、それぞれの軸方向位置で、同じ生地パネル又は複数枚の生地パネルで製造して、即ち、各パネルが、円周方向圧迫ガーメント又はガーメント部分の一方の長手方向端部から他方の長手方向端部まで、完全に延びているように製造する。
【００９０】
更に、図１を参照して説明する。前方パネル２は、裁断縁部６で画定されていて、かつ長手方向、即ち、結果として前方パネル２の軸方向（軸方向２８）全体において、前方パネル２は、対向する縁部６Ａ及び６Ｂで画定されている。同様に、後方パネル４は、裁断縁部８で画定されていて、かつ長手方向、即ち、結果として後方パネル４の軸方向全体において、後方パネル４は、対向する縁部８Ａ及び８Ｂで画定されている。前方パネル２及び後方パネル４の寸法、即ち対向する縁部６Ａ及び６Ｂの間の距離、及び対向する縁部８Ａ及び８Ｂの間の距離は、パネル２及び４が結合されてパンツ脚部を形成する時、それぞれ、本発明の技術的パターン設計に基づいて決定され、望ましい圧迫効果及び望ましい円周方向寸法を与えるように設計される。様々な位置の寸法が決定されると、幾何学的裁断を行なって、図５に示すように、寸法が決定される。
【００９１】
別の態様では、単一パネルを使用して、縫い目が１本だけのパンツ脚部を形成し、寸法を決定するための幾何学的裁断をして、単一パネルを形成する。この態様によれば、単一パネル材料は、対向する長手方向縁部を有しており、対向する長手方向縁部は、互いに結合されて、１本の縫い目を形成し、それによって、円周方向圧迫ガーメント、即ちパンツ脚部を形成する。
【００９２】
再度図１を参照して説明する。様々な態様により、生地１０は、単層、即ち、一重の生地で、１枚以上の生地１０のパネルで製造された円周方向部分は、生地１０の１枚のパネル又は生地１０の複数枚のパネルから構成されており、これらは、１つ以上の軸方向に延びている縫い目で、一緒に結合される。円周方向部分は、圧迫性円周方向部分で、即ち、普通の着用者が着用して応力が負荷された時、圧迫を付与する。圧迫性円周方向部分は、圧迫力を加え、パネルには十分な重なり部分は無い。然しながら、当然、縫い目は、２枚の生地パネルの間に僅かな重なり部分を含んでいる。本発明の様々な態様において、ロックスティッチ、チェーンスティッチ、セーフティスティッチ、サージングスティッチ、重なりスティッチ、ジグザグスティッチ、カバースティッチ、ブラインドスティッチ、メロースティッチ、フラットロックティッチ、接着テープによる熱シームシール、超音波ウェルディング、レーザーウェルディング、又はそれらの多様な組み合わせ等様々なタイプの縫い目を使用することができるが、これらに限定されない。伸縮性織布生地の単層で製造された圧迫性円周方向部分は、如何なる弾性ストラップ、又は圧迫性円周方向部分に付着又は圧迫性円周方向部分に積層されたその他の圧迫性機能、又はストラップが無いことを特徴としている。圧迫性円周方向部分も、生地の平面に鋭角又は直角方向に延びかつ不均等な厚さを有する生地を形成する如何なる生地又は延長部分を含んでいない。
【００９３】
前述した様々な態様において、後方パネル４及び前方パネル２のような２枚のパネル又は単一パネルは、それぞれ長手方向の長さ、即ち長手方向２８に沿ったガーメントの長さ、即ちパネル２及び４だけで製造された円周方向部分の一方の長手方向端部２１から対向する長手方向端部にまで完全に延びている。
【００９４】
幾つかの態様によって、均一な弾性を有する同じ生地の多重パネルを配置し、長手方向に沿って完全に延ばし、円周方向圧迫ガーメントを製造する。換言すれば、均一な弾性を有する生地１０を多重生地パネルに裁断し、それを結合して、圧迫ガーメントの円周方向部分を形成し、それぞれの多重生地パネルを圧迫ガーメントの円周方向部分の一方の端部から他方の端部へ延ばし、円周方向に付与される圧迫を、生地パネルで製造された円周方向部分だけで、即ち、内部又は外部の圧迫性ストラップ又はその他の装具によらずに生成する。
【００９５】
図１に示した態様において、前方パネル２及び／又は後方パネル４を、生地１０の繊維の縦糸方向及び横糸方向に対して様々な角度で裁断する。前方パネル２の対向する縁部６Ａ及び６Ｂは、図示した態様のように、生地１０の幾何学的裁断によって形成される非線形縁部である。また、図示した態様のように、後方パネル４の対向する縁部８Ａ及び８Ｂは、生地１０の幾何学的裁断によって形成される非線形縁部である。用語「非線形」は、それぞれの縁部の一つ以上が多重線形セグメントを含んでいたとしても、それぞれの縁部は連続した線形縁部ではないこと、即ち連続した直線縁部ではないことを意味する。幾つかの態様において、前方パネル２及び／又は後方パネル４は、ギザギザがある形状であり、前方パネル２及び後方パネル４の縁部は、徐々に滑らかになっている。他の態様では、対向する縁部の一方は直線の縁部で、他方の縁部は、大げさに裁断されている。
【００９６】
様々な態様において、縁部６Ａ、６Ｂ、８Ａ及び８Ｂは、多くの直線部分セクション、及び多くの湾曲部分セクションを含んでいる。幾つかの態様において、直線部分は、互いに角度をもった隣接する直線部分を含んでいる。従って、それらは結合して、連続した直線縁部を形成しない。幾つかの態様において、１つ以上の縁部６Ａ、６Ｂ、８Ａ及び８Ｂは、多くの直線縁部だけで形成された非線形縁部である。幾つかの態様において、１つ以上の縁部６Ａ、６Ｂ、８Ａ及び８Ｂは、直線部分と接続した少なくとも１つの湾曲部分を含んでいる。幾つかの態様において、全ての縁部６Ａ、６Ｂ、８Ａ、及び８Ｂは、連続した湾曲縁部である。幾つかの態様において、全ての縁部６Ａ、６Ｂ、８Ａ、及び８Ｂは、連続した直線縁部である。幾つかの態様において、対向する縁部、例えば後方パネル４の対向する縁部８Ａ及び８Ｂは、互いに平行である。
【００９７】
このことは、前方パネル２及び／又は後方パネル４に関しても言えることである。他の態様では、対向する縁部、例えば、前方パネル２の対向する縁部６Ａ及び６Ｂは、それぞれ直線で、互いに対して角度をもっている。これは、前方パネル２及び／又は後方パネル４に対して適用する。幾つかの態様では、１つ以上の縁部６Ａ、６Ｂ、８Ａ、及び８Ｂは、湾曲部分及び直線部分の両方を含んでおり、直線部分は、パネルの大部分の長さ、即ち位置１２から位置２４へ沿って延びている。縁部６Ａ、６Ｂ、８Ａ及び８Ｂは、それぞれ、ジグザグ又は曲がったような様々な非線形形状であってもよく、非線形縁部の形状は、規則的な反復セクション又は不規則な縁部を含んでいる。
【００９８】
図１において、前方パネル２及び後方パネル４は、それぞれ、多くの位置１２、１４、１６、１８、２０、２２、２４、及び２６を持つように示してある。これらは、本発明の特徴を説明するのに役立つように、幾分自由に描いてあり、８つの位置は、例示的目的で記載したものである。幾つかの態様において、測定位置は、ガーメントの寸法を計算するための業界標準位置を表わしている。望ましい圧迫を生成するのに必要なガーメント長は、１２、１４、１６、１８、２０、２２、２４、及び２６のそれぞれに対して算出され、生地は、その算出に従って裁断される。様々な態様により、このようにして同定されたいずれの「位置」において、図示した寸法及び生地材料の弾性又は他の特徴が、それぞれ、即ち前方パネル２及び／又は後方パネル４全体で一定であること以外には、生地材料における物理的な違いは無い。
【００９９】
再度、式（１）を参照して説明する。１２、１４、１６、１８、２０、２２、２４、及び２６のそれぞれの位置は、測定点「ｉ」で表わされる。測定点「ｉ」において、圧迫（Ｐ）及び望ましいガーメント長が計算される。既に記載した通り、他の態様では、計算は、例示した８つの位置の代りに、その他様々な位置で実施される。
【０１００】
図１において、前方パネル２は、図示した非線形の対向する縁部６Ａ及び６Ｂと関連した様々な位置１２、１４、１６、１８、２０、２２、２４、及び２６において特定の幅を有している。後方パネル４は、図示した非線形の対向する縁部８Ａ及び８Ｂと関連した様々な位置１２、１４、１６、１８、２０、２２、２４、及び２６において特定の幅を有している。任意に記載した８つの領域１２、１４、１６、１８、２０、２２、２４、及び２６は、それぞれ対向する縁部の特定の形状、配置又は位置に関連づけて記載されている。
【０１０１】
複数の態様において、より多くの数の指定された領域が使用され、多くの数の特定の幅が決定される。従って、指定した領域間には、多くの数のセグメントが存在し、曲がった縁部のように、皺を伸ばしたように見える滑らかな縁部が形成される。
【０１０２】
図２は、前方パネル及び後方パネルの対向する縁部を形成するのに使用される幾何学的裁断を示している。図２において、前方パネル１０２は、図示したように、対向する縁部１０６Ａ及び１０６Ｂに関連した様々な位置１１２、１１４、１１６、１２０、１２２、１２４、及び１２６において特定の幅を有している。対向する縁部１０６Ａ及び１０６Ｂ部分は、直線で、かつ互いに角度をもっていて、対向縁部１０６Ａ及び１０６Ｂ部分は、曲がっている。後方パネル１０４は、図示したように、非線形を特徴とする対向縁部１０８Ａ及び１０８Ｂに関連した様々な位置１１２、１１４、１１６、１２０、１２２、１２４、及び１２６において特定の幅を有している。記載した８つの領域１１２、１１４、１１６、１２０、１２２、１２４、及び１２６、それぞれ対向する縁部の特定の形状、配置又は位置に関連づけて記載されている領域であるが、寸法が算出された位置の部分だけを表わしている。例えば、縁部１０８が曲がっている位置では、互いに接近した複数の位置で多重計算を行なって、滑らかな効果を発揮させた。
【０１０３】
図２における、１１２、１１４、１１６、１２０、１２２、１２４、及び１２６の位置、並びに多くの他の位置において、記載に従って決定した幾何学的裁断を行なって、望ましい寸法を出している。即ち、対応する位置１１２、１１４、１１６、１２０、１２２、１２４、及び１２６において、寸法１１２Ｒ、１１４Ｒ、１１６Ｒ、１２０Ｒ、１２２Ｒ、１２４Ｒ、１２６Ｒ及び寸法１１２Ｆ、１１４Ｆ、１１６Ｆ、１２０Ｆ、１２２Ｆ、１２４Ｆ、及び１２６Ｆを出している。幾つかの態様において、１１２Ｒ、１１４Ｒ、１１６Ｒ、１２０Ｒ、１２２Ｒ、１２４Ｒ、及び１２６Ｒの大部分又は全ての寸法は、互いに異なっていて、１１２Ｆ、１１４Ｆ、１１６Ｆ、１２０Ｆ、１２２Ｆ、１２４Ｆ、及び１２６Ｆの大部分又は全ての寸法は、互いに異なっている。
【０１０４】
図３は、本発明に成された幾何学的裁断の他の態様を示している。図３において、前方パネル２０２は、対向縁部２０６Ａ及び２０６Ｂによって画定されており、後方パネル２０４は、対向縁部２０８Ａ及び２０８Ｂによって画定されているが、ガーメント長さが決定された特定の位置は示していない。縁部２０６Ａは、多重の直線セグメント及び曲がった部分を含んでいる。曲がった部分は、共に直ぐ近くに離隔された軸方向位置であり、ガーメント長さが決定される多数の位置を使用した結果として形成される。縁部２０６Ａは、例えば、隣接する線形セグメント２０９，２２１及び２１３を含んでおり、それぞれ互いに角度をもっており、湾曲部分２１７に隣接し、湾曲部分２１７に対して角度を持っている直線セグメント２１９を示している。湾曲部分２１５は、線形セグメント２１３に隣接していて、かつ線形セグメント２１３に対して角度をもっている。用語「互いに対して角度を持っている」は、それらが共線状ではないことを意味している。縁部２０６Ａ及び２０６Ｂは、それぞれ、縁部２０８Ａ及び２０８Ｂと結合されて、円周方向ガーメントを形成している。軸方向２８に沿って観察すると、３つの連続した軸方向位置２２５、２２７、及び２２９に沿って、前方パネル２０２の幅が広くなり、狭くなっていることが分かる。前方パネル２０２の幅は、点２２３から点２２５へ狭くなり、次いで位置２２５と位置２２７の間で大きくなり、さらに位置２２７と位置２２９の間で大きくなっている、等々。前方パネル２０２と後方パネル２０４を接合して圧迫ガーメントを製造する時、円周方向ガーメント部分の円周方向の長さが、長くなり、かつ短くなることを特徴としている。
【０１０５】
前述した態様のいずれによっても、対向する縁部６Ａ、６Ｂ、８Ａ、８Ｂ、１０６Ａ、１０６Ｂ、１０８Ａ、１０８Ｂ、２０６Ａ、２０６Ｂ、２０８Ａ、２０８Ｂは、複数の様々な位置における望ましい寸法を計算することによる特別な値である。
【０１０６】
再度図１を参照して説明する。１２、１４、１６、１８、２０、２２、２４、及び２６のそれぞれの位置において、本発明の態様によって決定された幾何学的裁断を行なって望ましい寸法、即ち、対応する位置１２、１４、１６、１８、２０、２２、２４及び２６における寸法１２Ｒ、１４Ｒ、１６Ｒ、１８Ｒ、２０Ｒ、２２Ｒ、２４Ｒ、及び２６Ｒ、及び寸法１２Ｆ、１４Ｆ、１６Ｆ、１８Ｆ、２０Ｆ、２２Ｆ、２４Ｆ及び２６Ｆが決定される。幾つかの態様において、１２Ｒ、１４Ｒ、１６Ｒ、１８Ｒ、２０Ｒ、２２Ｒ、２４Ｒ及び２６Ｒの大部分又は全ては、互いに異なっている。幾つかの態様において、１２Ｆ、１４Ｆ、１６Ｆ、１８Ｆ、２０Ｆ、２２Ｆ、２４Ｆ及び２６Ｆの大部分又は全ては、互いに異なっている。
【０１０７】
図１において、算出された寸法１２Ｒ、１４Ｒ、１６Ｒ、１８Ｒ、２０Ｒ、２２Ｒ、２４Ｒ及び２６Ｒ、並びに寸法１２Ｆ、１４Ｆ、１６Ｆ、１８Ｆ、２０Ｆ、２２Ｆ、２４Ｆ及び２６Ｆを設計して、前方パネル２と後方パネル４を結合して縫い目を形成し、普通の着用者が着用した時、望ましい圧迫効果を発揮させるように、円周方向ガーメント部分を製造する。
【０１０８】
同じく、図２において、算出された寸法１１２Ｒ、１１４Ｒ、１１６Ｒ、１１８Ｒ、１２０Ｒ、１２２Ｒ、１２４Ｒ及び１２６Ｒ、並びに寸法１１２Ｆ、１１４Ｆ、１１６Ｆ、１１８Ｆ、１２０Ｆ、１２２Ｆ、１２４Ｆ及び１２６Ｆは、技術的パターン設計に基づいて計算し、前方パネル１０２と後方パネル１０４を結合して縫い目を形成し、普通の着用者が着用した時、望ましい圧迫効果を発揮するように、円周方向ガーメント部分を製造する。図示した態様のように、ガーメント又はガーメント部分は、パンツの脚部である。他の態様において、他の円周方向ガーメント又は円周方向ガーメント部分が製造される。用語「円周方向ガーメント又は円周方向ガーメント部分」は、ガーメント又はガーメント部分が、着用者の腕、脚、胴体、足首、膝、肘等の肉体部分を取り囲むという意味である。
【０１０９】
寸法は、１つの軸、又は長手方向２８に沿って連続して長くなっているか、或いは軸方向に沿って長く及び短くなっている。即ち、寸法は、図３に示したように、１つの軸、又は長手方向２８に沿って連続して長くも、短くもなっていない。別の言い方をすれば、幾つかの態様において、軸方向２８に沿って進むと、エンジニヤード・ガーメントの寸法は、まず、２つの連続した位置の間で大きくなっている。例えば、位置２２から２０までの間で大きくなり、次いで位置２０と１８の間で小さくなっている。換言すれば、最小及び／又最大寸法は、中央のどこかにあり、末端位置１２又は２６のいずれには無い。
【０１１０】
以下の記載は、図１に示した態様及び図２及び図３に示した態様の両方に適用されるが、表現を簡潔及び明快にするために、図１に関して以下の記載を続ける。
【０１１１】
算出した寸法を計算して、圧迫ガーメントの円周方向部分の円周方向寸法に沿った全寸を出す。前方パネル２及び後方パネル４の両方を使用する幾つかの態様において、例えば位置１４における円周方向寸法の全長は、寸法１４Ｆ及び１４Ｒの総計である。前方パネル２及び後方パネル４のような２枚のパネルを使用する複数の態様の場合、パネルは接合されて長手方向、即ち、ガーメントの円周方向部分の軸方向に沿って延びる縫い目を形成する。換言すれば、２つのパネルは結合されて、円周方向への縫い目を形成しない。１枚だけのパネルを使用し、対向する縁部を相互に結合する幾つかの態様においては、算出された寸法は、図５に示すように、寸法１２ｃ、１４ｃ、及び１６Ｃのように、全円周方向の長を表わしている。例えば、後方パネル４だけを使用して、圧迫方向ガーメントの円周方向部分を形成する場合、寸法１４Ｆ自体は、位置１４における円周方向寸法に沿った全寸法を表わしている。
【０１１２】
再度図１を参照する。対向する縁部６Ａ及び６Ｂ、及び対向する縁部８Ａ及び８Ｂを形成するのに使用される幾何学的裁断を決定するガーメント寸法は、幾つかのファクタに基づいて決定され、多くのファクタは、様々な数学的式又はアルゴリズムに織り込まれる。
【０１１３】
幾つかの態様において、上述したように、一つのファクタは、生地１０の応力−歪み特性である。特定の材料が示す応力と歪みとの間の関係は、特定の材料の応力−歪み曲線として知られている。応力−歪み曲線は、材料毎に固有で、異なった引張り間隔又は圧迫負荷（応力）における変形（歪み）量を記録することによって見いだされる。応力−歪み曲線は、しばしば、最良適合公式によって生成される曲線を使用することで表わされる。最良適合公式曲線が、応力−歪み関係における他のデータポイントの推定を可能にする。これらの曲線は、弾性率（Ｅ）を始め多くの性質を示し、幾何学的裁断を決定するファクタと考えられる応力−歪み特性を示す。応力−歪み曲線を使用して生地圧迫力を推定することができ、生地圧迫力（Ｆ）を使用して、上述した式（１）の圧迫力（Ｐ）を予測することができる。生地圧迫力は、延伸率に基づいている。前記延伸率は、延伸したサイズ、即ち、特定の位置の応力緩和した状態のガーメントの円周方向の長さに対する使用者の解剖学的構造のサイズに依存している。
【０１１４】
応力−歪み曲線を、既知又は望ましい圧迫（Ｐ），測定された生地圧迫力（Ｆ）、及び式（１）のＵのような既知の解剖学的構造寸法と関連させて使用し、好ましいガーメント圧迫（Ｐ）を生成するのに実用な応力緩和したガーメント寸法、例えば、寸法１２Ｒ、１４Ｒ、１６Ｒ、１８Ｒ、２０Ｒ、２２Ｒ、２４Ｒ及び２６Ｒを決定することもできる。
【０１１５】
望ましいガーメント圧迫、即ち様々な位置におけるガーメント圧迫を決定するのに考察されるファクタは、望ましい圧迫クラスである。圧迫は、単位ミリメータ水銀（ｍｍＨｇ）で表わされることがあり、かつ様々なカテゴリ又はクラスに分類され、それぞれ、例えば、８−１５ｍｍＨｇ、１５−２０ｍｍＨｇ、２０−３０ｍｍＨｇ、２５−３５ｍｍＨｇ、３０−４０ｍｍＨｇ、４０−５０ｍｍＨｇ、及び５０ｍｍＨｇ以上の圧迫力の範囲を伴っている。幾つかの取り決めによれば、圧迫クラス１は、圧迫２０−３０ｍｍＨｇと規定されていて、圧迫クラス２は、圧迫３０−４０ｍｍＨｇと規定されており、圧迫クラス３は、圧迫４０−５０ｍｍＨｇと規定されており、圧迫クラス４は、５０ｍｍＨｇ以上と規定されている。幾つかの取り決めによれば、８−１５ｍｍＨｇを、適度な圧迫と規定していて、１５−２０ｍｍＨｇを、中間圧迫と規定している。圧迫クラスに関する他の取り決め、及び定義を使用することができる。然しながら、どのように圧迫クラスを規定したかということとは無関係に、寸法、即ち幾何学的裁断を算出すると考えられるファクタの一つは、特定の肉体部位にとって望ましい圧迫クラスである。
【０１１６】
望ましい寸法を決定するのに考察されるその他のファクタ、即ちどのようにして、どこを幾何学的に裁断して、様々の位置において望ましい寸法を形成するかは、裁断しようとするガーメントのサイズチャートである。サイズチャートは、製造業者から製造業者へ変化し、又は部分から部分へ変化するが、基本的には、様々の位置におけるガーメントサイズと着用者の解剖学的構造のサイズに関連しており、通常、標準サイズである。例えば、日本におけるサイズ「Ｍ」は、米国合衆国におけるサイズ「Ｍ」とは異なっており、ヒトの肉体の様々な寸法に関連している。
【０１１７】
寸法チャートは、ジーンズの特定スタイルのようなサイズチャートに関連する特定のガーメントの特定のサイズを表わしている。寸法チャートは、ガーメントの様々な位置における特定のサイズ及ぶスタイルの特定のガーメントを着用する着用者の解剖学的構造のサイズと関連しており、一人の製造者が製造したとしても、製品毎に異なっている。寸法チャートは、主として、製造者の仕様と製品仕様の両者の仕様であり、本発明では、寸法チャートは、本発明の方法及び原理によって決定され、それぞれガーメントのタイプ及びそれぞれ様々な生地によって変わり得る。
【０１１８】
特定のガーメントの場合、望ましい圧迫値Ｐを発揮するのに必要なガーメント寸法の計算は、特定のサイズチャートに関係した普通の着用者の使用サイズ情報、即ち式（１）において張力を計算するための「Ｕ」、式（１）の「Ｆ」、及び応力−歪み曲線及び延伸したガーメント寸法の使用を含んでおり、望ましい圧迫値を生成するのに必要な応力緩和したガーメントの周囲が決定される。
【０１１９】
更なるファクタには、縫い目の補正、その他の補正等補正ファクタがある。縫い目補正は、縫い目の形成が、伸縮性ガーメントに作用する衝撃、特に特定の縫い目がガーメントの圧迫特性に作用する衝撃を考慮にいれる。その他の補正ファクタとしては、幾何学的裁断を決定する際のファクタであって、生地の仕様、ブランド、又は製造業者の仕様、又は製造仕様補正ファクタ等のファクタが考えられる。
【０１２０】
他の態様において考えられる他のファクタは、製造業者又はブランド仕様で選択された圧迫等級、選択された圧迫標準規格、選択されたサイズチャート及びその他のファクタがある。
【０１２１】
上述したファクタは、種々の組み合わせ、および種々の式、並びに上記方程式（１）のようなアルゴリズムにおいて使用され、様々なガーメント方向におけるガーメント圧縮力Ｆ，及びガーメント圧縮荷重Ｐを評価又は計算することができる。逆に言えば、方程式（１）のようなこれらの方程式も、ガーメント圧縮荷重Ｐ及び/又はガーメント圧縮力Ｆに基づいて，緩和状態にあるガーメントの円周方向長さの計算を可能にする。
【０１２２】
上記で記載したファクタは、単なる例と考えるべきで、望ましい寸法を決定又は／計算するための様々な数式に関して使用される様々なファクタを制限するべきではない。一旦、望ましいガーメントの寸法を決定したら、幾何学的裁断を行なって、望ましい寸法を出して、着用される圧迫ガーメントの長手方向に沿った様々な位置における望ましい圧迫力及びガーメント圧迫値を発揮する望ましい寸法を決定する。幾つかの態様において、上述した２つ以上のファクタが考察され、かつ他のファクタを関連付けて検討される。幾つかの態様において、様々なファクタを別々に重要視して、幾何学的裁断を行う計算をし、望ましいガーメント寸法が決定される。
【０１２３】
幾つかの態様において、式（１）又は他の式で示したファクタを使用して、前述した位置のように様々な位置において望ましい圧迫を付与するのに必要な前方パネル２及び後方パネル４の望ましい幅を決定する。生地１０を裁断して、確定された位置において決定された寸法を有するパネルを形成する。幾つかの態様において、幾何学的裁断により、対向する両縁部は非線形縁部とされる。幾つかの態様において、本発明に従った機械的なパターン設計に基づいて設計された円周方向の長さをもった幾何学的裁断の結果として、対向する縁部の一方の縁部は、直線又は従来通りの裁断のままで、対向する縁部の他方の縁部は、非線形、又は曲がっているか、或いは部分的に曲がった又は直線である。幾つかの態様において、それぞれのパネル２及び４の対応する縁部に対して相補的な幾何学的裁断を行ない、改良されて簡単な接合として、それぞれのパネル２及び４を、ミシンがけ、又はその他の手段で一緒に接合する。
【０１２４】
ガーメントの寸法を決定する方法及び機械的パターン設計を使用して、望ましいガーメント寸法を求める一例は、以下の通りである。
【０１２５】
生地を選択したら、生地の応力−歪み曲線及び生地にとって最適の規格を得る。次に、幾つかの態様において、前記選択した生地で、圧迫ガーメントのサンプルを製造する。このサンプルの圧迫ガーメントは、円周方向、即ち、筒状である。次いで、図１に示したように、位置１２、１４、１６、１８、２０、２２、２４、及び２６のように多重測定点において、このサンプルの圧迫ガーメントの応力緩和した状態での円周方向の長さを測定する。図１に示した位置１２、１４、１６、１８、２０、２２、２４、及び２６は、パンツ脚部の測定をするのに効果的な位置ではあるが、これらの位置は、任意に選択した位置で、別の態様では、他の位置及び位置の数を使用している。幾つかの態様において、応力緩和した状態におけるサンプルの圧迫ガーメントから得たこれらの円周方向の測定値を、１２、１４、１６、１８、２０、２２、２４、及び２６のそれぞれの位置におけるガーメントの特定のサイズ又は測定チャートと比較する。その理由は、特定のサイズ又は測定チャートは、指定したそれぞれの位置において、特定のサイズをもっている普通の着用者の円周方向の長さを表わしている。これは、着用者が着用して伸びた時のガーメントの伸張した長さと等しいからである。
【０１２６】
次いで、幾つかの態様において、サンプルの圧迫ガーメントの、１２、１４、１６、１８、２０、２２、２４、及び２６のそれぞれの位置において測定された実際のガーメント圧迫力Ｐをテストする。多くの態様において、ガーメント圧迫力の測定値は、ｋＰＡ「キロパスカル（ニュートン／ｃｍ２）、又はｍｍＨｇで表わされる。或る態様では、１２、１４、１６、１８、２０、２２、２４、及び２６のそれぞれの位置における実際のガーメント圧迫力は、ｍｍＨｇのような圧力単位で測定され、下記の式を使用して圧力からガーメント圧迫力（Ｆ）に変換される。
Ｆ＝［（測定圧力）×（サイズ又は測定チャートからのサイズ測定値）／４７０］
これによって、単位がＮ／ｃｍのガーメント圧迫力（Ｆ）を得ることができる。他の態様では、実際のガーメント圧迫力Ｐは、単位ｋＰａとして測定され、上記の式（１）を使用して圧力からガーメント圧迫力Ｆへ変換される。本発明は、上記の計算に限定されない。他の態様においては、他の単位及び他の変換を使用して、ガーメント圧Ｐを測定し、かつガーメント圧迫力Ｆを測定する。
【０１２７】
伸び率は、応力緩和したガーメントの測定値に対する、延伸した円周方向の長さ、即ち体にピッタリとしたガーメントに対する着用者の解剖学的構造「Ｕ」のサイズの比であるので、サイズ又は測定チャートに基づいて、伸びたガーメントの円周方向長さと、１２、１４、１６、１８、２０、２２、２４、及び２６のそれぞれの位置における応力緩和したサンプルの圧迫ガーメントの長さを比較することによって決定される。幾つかの態様において、測定されたＵは、１２、１４、１６、１８、２０、２２、２４、及び２６のそれぞれの位置における［（延伸時のＵ−応力緩和した時のＵ）／応力緩和した時のＵ］で表わされる。或る効果的な態様では、サンプルの圧迫ガーメントは、サンプルの圧迫ガーメントを、サイズ又は測定チャートに指示されているサイズを有している着用者又は肉体部分のモデルに着せることによって測定される。換言すれば、延伸したサンプルの圧迫ガーメントの円周方向の長さは、サイズ又は測定チャートによって調べるか、又は延伸したサンプルの圧迫ガーメントの長さを測定することで決定される。２つの長さ（延伸したガーメントの円周方向の長さ、及び応力緩和したガーメントの円周方向の長さ）は、１２、１４、１６、１８、２０、２２、２４、及び２６の位置における伸縮率、及び応力−歪み曲線、生地圧迫力ｆを示している。
【０１２８】
縫い目の補正ファクタは、測定されたガーメント圧Ｐを使用して得たガーメント圧迫力Ｆを、上述した位置１２、１４、１６、１８、２０、２２、２４、及び２６における応力−歪み曲線から得た生地圧迫力ｆと比較することによって得ることができる。
【０１２９】
次いで、圧力で表わされた望ましいガーメント圧を、位置１２、１４、１６、１８、２０、２２、２４、及び２６毎に識別又は確認する。
【０１３０】
次いで、圧力として表わされた望ましいガーメント圧、及び、例えば、望ましいガーメント圧が圧力単位ｋＰａと同じである時、式（１）を使用して、それぞれの位置における標準サイズチャート測定値を使用し、望ましいガーメント圧を得るのに必要な生地圧迫力ｆを計算する。次いで、それぞれの位置１２、１４、１６、１８、２０、２２、２４、及び２６における縫い目補正ファクタに、ガーメント圧迫力Ｆを乗じることによって、ガーメント圧迫力Ｆを生地圧迫力に変換する。
【０１３１】
次いで、応力−歪み曲線を使用して、この生地圧迫力ｆと、それぞれの位置１２、１４、１６、１８、２０、２２、２４、及び２６毎に算出された伸び率Ｕを結合させる。サイズ又は測定チャートに従って、既知の伸び率及び既知の延伸されたガーメントの長さを利用して、望ましいガーメント圧Ｐを付与する応力緩和されたガーメントの長さを、それぞれの位置毎に決定することができる。
【０１３２】
次いで、生地を幾何学的裁断して、前述したようにして決定した応力緩和状態のガーメントの長さの測定値を有している一つ以上の生地パネルを形成する。応力緩和状態のガーメントの長さを決定する方法を、図１０Ａ及び図１０Ｂに示してある。
【０１３３】
前記の記載した内容は、ガーメントの様々な位置における望ましい圧迫値及び他のファクタに基づいて、ガーメントに沿った適切な位置における必要なガーメント測定値を決定するために作成されたサンプル圧迫ガーメントを使用した一例であることに留意するべきである。他の態様において、様々な他の方法及び技術を使用して、様々な位置における望ましい圧迫値に基づいて、望ましいガーメント寸法が決定される。多くの態様において、作成されたサンプル圧迫ガーメントは必要なく、ガーメント寸法は、前述したファクタの多様性に基づいている。
【０１３４】
幾つかの態様において、それぞれの位置１２、１４、１６、１８、２０、２２、２４、及び２６における望ましい圧迫値は、望ましい圧迫等級、又は他の圧迫レベル、及び圧迫規準と定義される。それぞれの位置１２、１４、１６、１８、２０、２２、２４、及び２６における圧迫値を選択して結合し、最大治療効果を挙げる圧迫ガーメントが提供される。幾つかの態様において、形成された圧迫値は、それぞれの位置１２、１４、１６、１８、２０、２２、２４、及び２６において同じである。
【０１３５】
効果がある態様において、形成された圧迫値は、それぞれの位置１２、１４、１６、１８、２０、２２、２４、及び２６の一つ以上、又は全てにおいて異なっている。このような態様によれば、様々な位置における様々な圧迫値は、徐々に、突然或いは不規則に変化する。圧迫値は、一つの軸又は長手方向２８に沿って、連続的に大きくなって、圧迫勾配を形成する。又は圧迫値は、軸方向に沿って増加及び減少する。幾つかの態様において、圧迫値は、一つの軸又は長手方向２８に沿って、連続的に増加も、連続的に減少もしない。換言すれば、最大又は最小ガーメント圧迫値は、ガーメントの一つの端部には無く、むしろ幾つかの中間位置にある。
【０１３６】
生地１０を幾何学的に裁断して、望ましいガーメント圧迫値を発揮するのに必要なガーメント寸法に基づいて、前方パネル２及び後方パネル４を製造する。
【０１３７】
望ましい圧迫力を発揮するように決定されたガーメント寸法は、圧迫ガーメントの円周方向部分の様々な軸方向位置毎に決定される円周方向部分を表わしている。唯１枚のパネル、例えば前方パネル２又は後方パネル４を使用する幾つかの態様において、円周方向の長さは、上記した（１２Ｆ、１４Ｆ、１６Ｆ、１８Ｆ、２０Ｆ、２２Ｆ、２４Ｆ、及び２６Ｆ、１２Ｒ、１４Ｒ、１６Ｒ、１８Ｒ、２０Ｒ、２２Ｒ、２４Ｒ、及び２６Ｒ）ガーメント寸法の１つを表わしている。前方パネル２が後方パネル４に接合されている他の態様において、円周方向の長さは、前記２つのパネルが一緒に接合されている時の全円周方向の長さである。例えば、位置１６における全円周方向の長さは、ガーメント寸法１６Ｆとガーメント寸法１６Ｒの総和である。なぜならば、パネル１６Ｆとパネル１６Ｒは、位置１６で一緒に接合されているからである。円周方向の長さは、図５において、１２Ｃ、１４Ｃ、１６Ｃ、１８Ｃ、２０Ｃ、２２Ｃ、２４Ｃ、及び２６Ｃとして示してある。
【０１３８】
決定されたガーメント寸法に基づいて幾何学的裁断を行なって、ガーメントの様々な位置におけるガーメント寸法１２Ｆ、１４Ｆ、１６Ｆ、１８Ｆ、２０Ｆ、２２Ｆ、２４Ｆ、及び２６Ｆ、１２Ｒ、１４Ｒ、１６Ｒ、１８Ｒ、２０Ｒ、２２Ｒ、２４Ｒ、及び２６Ｒを出す。
【０１３９】
一つの態様に従って、生地１０を幾何学的裁断をした後、前方パネル２及び後方パネル４を形成し、これらのパネルを円周方向部材として製造し、前方パネル２及び後方パネル４のそれぞれの縁部を縫い合わせることで接合して、１つのパンツ脚部を製造する。
【０１４０】
図４は、本発明の態様に従って製造された前方パネル２と従来の裁断による後方パネル３４との間の比較を表わしている。図４は、従来の裁断による後方パネル３４の外側縁部３６が、前方パネル２の対向する縁部６Ａ、６Ｂとは顕著に異なっていることを表わしている。本発明の態様に従って製造された前方パネル２の裁断と、従来の裁断による後方パネル３４との間の違いは、本発明によって、前方パネル２の特定の寸法が決定された位置である任意の位置３８、４０、４２、４４、４６、４８、５０、５２及び５４をはじめ様々な位置で明らかにすることができる。
【０１４１】
図５は、円周方向部材として製造された、図１に示したような生地１０の２枚のパネル、即ち、図示した態様において、1対のパンツである圧迫ガーメントのパンツ脚部６０を示している。他の態様では、他の圧迫ガーメントが製造される。他の態様に従って、圧迫ガーメントの他の円周方向部分又は他の圧迫ガーメントが製造される。パンツ脚部６０は軸方向６２及び円周方向６４で画定され、かつ円周方向のガーメント部分であって、筒状又は円柱状ガーメント部分と呼称される。
【０１４２】
円周方向部分、即ち図５に示したような応力緩和状態にある状態のパンツ脚部は、軸方向６２に直線の外側縁部を有していない。むしろ、図１に示したように、位置１２、１４、１６、１８、２０、２２、２４、及び２６は、様々な幅、即ち、円周方向６４に沿って異なった長さを有している。位置１２、１４、１６、１８、２０、２２、２４、及び２６において、パンツ脚部６０は、様々な円周方向長さ１２Ｃ、１４Ｃ、１６Ｃ、１８Ｃ、２０Ｃ、２２Ｃ、２４Ｃ、及び２６Ｃを有している。この原因は、図１に示し、かつ説明したように、縁部６Ａ、６Ｂ、８Ａ、８Ｂ、及び８Ｂの幾何学的裁断による。他の態様において、位置１２、１４、１６、１８、２０、２２、及び２４において、パンツ脚部６０は、一定の円周方向長さを有しており、位置１２、１４、１６、１８、２０、２２、及び２４において、図１に示したように、縁部６Ａ、６Ｂ、８Ａ，及び８Ｂの幾何学的裁断に因って、様々な圧迫を発揮している。
【０１４３】
再度、図５を参照する。パンツ脚部６０は、位置１８において、位置１６におけるよりも狭くなっている。即ち、パンツ脚部６０が応力緩和状態にある時、パンツ脚部６０は、円周方向６４において、位置１８における長さは、位置１６における長さより短くなっている。効果的な態様において、パンツ脚部６０の生地は、一定の弾性（即ち、均一弾性）を有していて、位置１２、１４、１６、１８、２０、２２、及び２４において、複数の円周方向バンド領域を有していることを特徴としている。これら複数の円周方向バンド領域は、実質的に相互に平行で、軸方向６２を横切っている。円周方向バンドは、生地１０の様々な長さを含んでいる。更に、図５は、生地の円周方向の長さが、図示したように、軸方向長さ６２の１つ及び対向する軸方向に沿って、長くなり、かつ短くなっていることも示している。換言すれば、円周方向の長さ１２Ｃ、１４Ｃ、１６Ｃ、１８Ｃ、２０Ｃ、２２Ｃ、及び２４Ｃは、応力緩和状態で、長手方向軸２８の１つの軸に沿って、連続的に長くもなっていないし、連続的に短くもなっていない。換言すれば、幾つかの態様において。軸方向２８に沿って進むと、機械的設計によるガーメントの円周方向の長さは、先ず、２つの連続した位置の間で長くなり、次いで短くなっている。例えば、応力緩和状態の機械的設計によるガーメントの円周方向の長さは、位置２２から２０で長くなっていて、次いで位置２０から１８で短くなっている。換言すれば、最大及び／又は最小寸法は、例えば、位置１６、２０又は２２のような中間位置においてである。
【０１４４】
他の態様において、パンツ６０の円周方向の長さは、軸方向６２に沿って、絶えず、増減していて、軸方向に沿って勾配を形成している。
【０１４５】
前述した態様のいずれかに従って、１２、１４、１６、１８、２０、２２、２４，及び２６の様々な位置において、圧迫力は、同じか、又は異なっていてよい。パンツ脚部６０の円周方向の寸法は、位置１２、１４、１６、１８、２０、２２、２４，及び２６において、同じか、又は異なっていてもよく、全ての位置で同じか、又は様々な位置で変化する円周方向ガーメント圧迫を発揮することができる。
【０１４６】
図６は、円周方向部材、即ち、ガーメンントの普通の着用者である着用者７０の肉体部分にぴったりと着用されて応力状態のパンツ脚部６０を示している。肉体部分は、ヒトの脚であるが、他の態様では、円周方向部材は、ヒトの解剖学的構造の他の部分又は動物に着用されてもよい。図６は、着用者がパンツ６８を着用した時、パンツ脚部６０は、着用者７０によってぴったりと着用されており、着用者の肉体部分の形状にぴったり適合しているので、パンツ６８のパンツ脚部６０が、着用者の肉体、即ち脚６６の直線箇所に対応する幾つかの箇所の軸方向６２において、ほぼ直線状の外表面を含んでいることを示している。パンツ脚部６０は、円周方向、即ち、筒状又は円筒状ガーメント部分で、接合されて縫い目を形成する一つ又は２つの生地パネルから製造されている。生地パネルは、それぞれ、一方の長手方向の端部から他方の長手方向の端部、即ち、位置２５から位置２７へ完全に延張している。縫い目６５は、軸方向６２へ延びており、幾つかの態様では、チェーンスティッチ、セイフティースティッチ、又はオーバーラップスティッチであるが、これら以外に様々な縫い目を使用することができる。縫い目６５は、例示的な位置にのみ記載したが、他の態様では、縫い目を別の位置に形成してもよい。
【０１４７】
パンツ脚部６０は、１２、１４、１６、１８、２０、２２、２４，及び２６のそれぞれの位置において、同じ圧迫力、又は様々な圧迫力で延びることができ、延伸率及び応力緩和状態のガーメント寸法に基づいて、１２、１４、１６、１８、２０、２２、２４，及び２６のそれぞれの位置において、同じ圧迫力、又は様々な圧迫力を付与することを特徴としている。好ましい態様によれば、１２、１４、１６、１８、２０、２２、２４，及び２６のそれぞれの位置における延伸率は、同じか、又は異なっており、生地の弾性は、生地全体で均一である。
【０１４８】
従って、図６に関して様々な態様が考えられる。幾つかの態様において、普通の着用者が着用した時、円周方向の圧迫率は、位置１２又は２４のような端部において最大及び／又は最小値となる。幾つかの態様において、円周方向の圧迫率は、位置１６のような、ふくらはぎの位置において最大及び／又は最小値となる。幾つかの態様において、最小円周方向圧迫率はゼロ、即ち圧迫は無い。他の態様において、位置１４、１６又は２２のような中間位置において、円周方向圧迫率は、最大及び／又は最小になる。即ち、円周方向圧迫率は、軸方向６２に沿って、連続的には、増加も、減少もしない。換言すれば、ガーメント圧迫は、軸方向６２に沿って、増加し、かつ減少する。圧迫プロファイルは、軸方向位置１６、１８、及び２０のように３つの連続した軸方向位置の少なくとも１グループに沿って、圧迫値は、増加し、次いで減少し、次いで増加することを特徴としている。様々な態様において、適用された圧迫値は、軸方向６２に沿って、増加し、次いで減少し、次いで増加し、次いで減少する。他の態様において、適用された円周方向ガーメント圧迫は、連続的に減少又は増加して、着用者の肉体部分の軸方向に沿って圧迫勾配を形成する。幾つかの態様において、幾何学的裁断によって、圧迫ガーメントの長さ全体に亘って同じ円周方向圧迫力を有する円周方向圧迫ガーメントを形成する。
【０１４９】
他の態様において、円周方向部材は、添付した図面に示したようなパンツ脚部以外の圧迫ガーメント又は圧迫ガーメントの一部を形成する。幾つかの態様において、円周方向部材は、２枚の生地パネルで製造されており、前記２枚の生地パネルは、それぞれ、円周方向部材の長手方向全長に沿って延びている。他の態様では、円周方向部材は、２枚以上の生地パネルで製造されており、前記２枚以上の生地パネルは、それぞれ、円周方向部材の長手方向全長に沿って延びている。一方、幾つかの態様では、圧迫ガーメントの円周方向部材は、織布１０の単一材である。
【０１５０】
図７は、本発明の圧迫ガーメントの別の態様を示している。図７は、様々な軸方向位置１２、１４、１６、１８及び２０において、ガーメントによって適用される円周方向圧迫度を有している上述したパンツ脚部６０の円周方向ガーメント部分５１を示している。円周方向ガーメント部分５１は、長手方向の一方の端部５５から、同じく他方の端部５７へ延びている１枚の生地、又は複数枚の生地ピースで製造されており、円周方向ガーメント部分５１に接合され、更に、円周方向ガーメント部分５３に接合されている。円周方向ガーメント部分５３は、非圧迫ガーメント部分である。即ち、円周方向ガーメント部分５３は、非弾性の生地で製造される。更に、円周方向ガーメント部分５３は、長手方向端部５５において、長手方向に、円周方向ガーメント部分５１に接合されており、円周方向ガーメント部分５１と共通軸５９を共有している。この態様に従って製造されるガーメントは、円周方向部分５１と別の円周方向部分５３との組み合わせで、圧迫力がゼロの部分を含む、軸方向に沿った非均一円周方向圧迫値を有していることを特徴としている。
【０１５１】
図８は、本発明の態様によって製造される圧迫ガーメントである圧迫靴下８０を示している。圧迫靴下８０は、前述した方法のいずれかに従って製造され、様々な圧迫度を有している。幾つかの態様において、圧迫靴下８０は、普通の着用者が着用した時のように応力が負荷された状態の時、矢印（→）で示す位置のように、様々な軸方向位置における様々な向円周方向圧迫度を有している。幾つかの態様において、圧迫靴下８０は、足（踝以下）８４を含んでいないで、着用者の下肢を被覆し、足首の位置８８だけに下方に延びている。
【０１５２】
図９は、本発明による圧迫ガーメントを製造する方法を示している。ステップ１００１において、生地が提供される。生地は、伸縮性生地で、前述したように生地１０である。ステップ１００３は、生地の裁断、即ち幾何学的裁断が計算される。更に特定すると、前述したような多数のファクタに基づいて、様々な位置におけるガーメントの寸法が決定される。１枚又は多重幾何学的裁断を行ない、１枚以上の生地パネルを製造し、望ましい寸法を出す。様々な数学的式及び／又はアルゴリズムを使用して、前記ファクタに基づいてパネル裁断片を製造する。裁断設計を行なって、ガーメントの様々な異なった位置における望ましい圧迫値を算出する。圧迫値は、ガーメントの様々な位置で、異なっているか、又は同じである。様々な位置における生地の伸縮率は、円周方向における材料の様々な長さ、例えば、図１における長さ１２Ｆ、１４Ｆ、１６Ｆ、１８Ｆ、２０Ｆ、２２Ｆ、２４Ｆ、２６Ｆ、１２Ｒ、１４Ｒ、１６Ｒ，１８Ｒ、２０Ｒ、２２Ｒ、２４Ｒ、２６Ｒの結果として、同じか、又は異なっている。ステップ１００５において、生地は、１枚以上のパネルに裁断される。前述したように、１枚以上のパネルは、少なくとも１つの創意工夫に富む非線形、ギザギザに尖った、又はその他の縁部を含んでいる。ステップ１００７において、圧迫ガーメントは、着用者の肉体部分を包む円周方向部分を含んでいる。幾つかの態様において、円周方向部分は、一枚の生地パネルの両縁部を接合して、単一の縫い目を有する円周方向部分を形成することによって製造される。他の態様において、円周方向部分は、パネルを含む複数の生地ピースを、少なくとも１つの非線形縁部で接合することによって製造される。
【０１５３】
図１０Ａ及び図１０Ｂは、共に、式（１）に従って、幾何学的裁断を行って圧迫ガーメントを製造するための手順、及び様々な計算を実行するためのフローチャートを表している。
ステップ２００１において、生地、即ち、前述したような均一な弾性を有する伸縮性織布を選択する。ステップ２００３において、最適な式を使用して、選択した生地ごとに発生する生地の応力−歪み曲線を得る。ステップ２００５において、選択した生地で、サンプル圧迫ガーメントを製造する。サンプル圧迫ガーメントは、筒状、即ち円周方向の形状をしている。ステップ２００７において、サンプル圧迫ガーメントの円周を、サンプル圧迫ガーメントが、応力緩和状態にある時、複数の点で測定する。複数の点ｉは、サンプル圧迫ガーメントの軸方向に沿った複数の点を表わしている。ステップ２００９は、応力緩和状態のＵは、ステップ２００７で得られることを示している。ステップ２０１１で、標準のサイズチャート測定値は、普通の着用者の解剖学的構造を示しており、従って、様々な位置において延伸状態にある圧迫ガーメントの円周長を表している。幾つかの態様において、サンプル圧迫ガーメントは、標準サイズチャート又は測定チャート測定値を含む肉体の部分モデルに着用される。延伸状態のサンプル圧迫ガーメント長さＵは、それぞれ、ステップ２０１１で得られる。ステップ２０１５において、サンプル圧迫ガーメントの実際の伸びは、延伸状態にあるＵ、及び応力緩和状態にあるＵを使用して算出される。ステップ２０１７は、実際の伸びは、Ｕ（計算値）＝（（延伸状態にあるＵ）ー（緩和状態にあるＵ）／（緩和状態にあるＵ））で算出される。
【０１５４】
ステップ２０１９において、サンプル圧迫ガーメントによって発揮するガーメント圧迫は、サンプル圧迫ガーメントのそれぞれの点で測定される。この圧力測定は、圧力単位［ｋＰａ］（キロパスカル）で表されるが、他の態様では、［ｍｍＨｇ］のような他の圧力単位を使用することもできる。
【０１５５】
ステップ２０２１は、ガーメント圧力Ｐが、ステップ２０１９におけるそれぞれの点ｉにおいて得られることを示している。
【０１５６】
ステップ２０２３において、ガーメント圧迫力（Ｆ）は、ステップ２０１９で得られ測定されたガーメント圧力（Ｐ）と、ｋＰａで測定されたガーメント圧力Ｐと一緒に式（１）を使用して、実際に測定された延伸状態にある円周方向長さＵ（サイズチャート測定値）に基づいて算出される。他の態様において、ガーメント圧力（Ｐ）は、ｍｍＨｇで測定され、ガーメント圧迫力（Ｆ）を計算するのに使用される式は、［ガーメント圧迫力Ｆ＝（ガーメント圧迫＊Ｕ（延伸状態）／４７０］でよい。換言すれば、関連する他の材料も使用することができる。ステップ２０２３で算出されるガーメント圧迫力は、ステップ２０２５で得るように記載される。ステップ２０２７において伸び、即ちＵ（計算値）は、ステップ２０２９に記載したように、応力−歪み曲線と一緒に使用して、それぞれの位置ｉにおける生地圧迫力ｆを算出することがきる。
【０１５７】
ステップ２０３１において、縫い目の補正が計算される。縫い目の補正は、それぞれの位置ｉにおいて、ステップ２０２９で記載した生地圧迫力ｆに対する、ステップ２０２５で得たガーメント圧迫力Ｆの比である。縫い目の補正ファクタは、純粋数である。ステップ２０３３において、様々な圧迫レベルと圧迫標準が考えられるが、それらは、ステップ２０３５において、それぞれの位置ｉごとに望ましいガーメント圧迫が決定されるという考えに基づいている。次いで、ステップ２０３７において、望ましいガーメント圧力Ｐは、各位置ｉにおいて得られる。
【０１５８】
ステップ２０３９において、ステップ２０２３及びステップ２０２５と関連した計算を実行して、望ましいガーメント圧Ｐを得るために必要なガーメント圧迫力Ｆを決定する。ステップ２０４１は、「必要なＦ」が得られる、ということを示している。ステップ２０４３において、それぞれの位置ｉにおいて、ガーメント圧迫力Ｆを調整して、望ましい生地力ｆを得る。特に、ガーメント圧迫力Ｆは、縫い目の補正ファクタを乗じて、関連した生地圧迫力ｆを算出し、望ましいガーメント圧Ｐを算出する。算出された生地圧迫力ｆを利用して、ステップ２０４７において、生地の応力−歪み曲線を使用して、伸びＵ（計算値）が決定される。伸びに関しては、Ｕはステップ２０４９で計算されて既知となり、延伸したＵの値も既知となる。即ち、標準サイズチャート測定値のＵ値、応力緩和状態にあるＵの値は、ステップ２０５１におけるそれぞれの位置において決定することができる。
【０１５９】
これらの値、即ち、応力緩和状態のＵは、上述したようにして製造される圧迫ガーメント又は圧迫ガーメント部分の円周方向の長さの値である。
【０１６０】
開示した本発明の圧迫ガーメントを使用して、着用者の肉体部分へ圧力を掛けることができる。本発明は、全体に弾性を有しており、かつ様々な位置において望ましい圧迫レベルを発生するように適応させた様々な軸方向位置において、織布の円周方向長さを有する円周方向部分を含んでいる織布の圧迫ガーメントを提供する。前述し、かつ図５に示したように、このガーメントは、応力緩和状態にある時、円周方向の長さは、様々な位置において、異なっているか、又は同じである。
【０１６１】
応力が負荷された状態、例えば、着用者が着用した時、ガーメントは、様々な位置で、様々な程度又は同じ程度に延伸し、前述したように、軸方向位置に沿って同じか又は異なっている圧迫量を生成する。幾つかの態様において、圧迫ガーメントは、図５及び６に示したような１対のジーンズである。幾つかの態様において、ジーンズは、ファッショナブルな外観をもった伸縮性デニムで製造される。幾つかの態様において、圧迫ガーメントは、図８に示したような１対の圧迫ソックスである。
【０１６２】
前記は、単に、本発明の原理を記載したに過ぎない。従って、当業者は、明細書、特許請求の範囲、図面及び要約書に明確には記載または示されていないが、本発明の原理を具体化し、かつ、その精神及び特許請求の範囲に含まれている様々なアレンジメントを創出することができることを理解されると思う。更に、明細書、特許請求の範囲、図面及び要約書で記載した全ての実施例及び条件付の用語は、主として、単に、学習上の目的の意図、及び本発明の原理及び当該技術を促進、助成するべく発明者によって寄与された概念を読者が理解するのを補助することを意図し、明細書、特許請求の範囲、図面及び要約書に特定して記載された実施例及び条件は、それらに制限を加えずに、解釈、理解されるべきである。さらに、明細書、特許請求の範囲、図面及び要約書に記載した本発明の原理、特徴及び態様、並びにそれらの特定の実施例は、構成及び機能面の両方からそれらの均等物も包含することを意図するものである。更に、このような均等物は、現在公知の均等物、及び将来開発される均等物、即ち、構成の如何に拘わらず、同じ機能を達成する如何なる要素をも含むことを意図している。
【０１６３】
例示的な態様に関する記載は、全ての記載の一部と考えるべき添付した図面と関連付けて理解されるべきである。明細書、特許請求の範囲、図面及び要約書に記載した相対的用語「より低い」、「より上位」、「水平な」、「垂直な」、「上に」、「下に」、「上へ」、「下へ」、「先端」及び「底部」並びにそれらの派生語（例：「水平に」、「下方へ」、「上方へ」等）は、その際記載した方向、又は論究した図面に示した方向を言及していると理解されるべきである。これらの相対的用語は、便宜上の表現であって、装置が、特定の方向に構成又は操作されるべきであることを要しない。「結合される」及び「連結される」のような取り付け、結合等に関する用語は、特段の断り書きが無い限り、複数の構成体が、直接的又は間接的に、介在する構成物を介して、可動的又は固着或いは相関関係をもって、相互に確保又は取り付けられている関係を意味している。
【０１６４】
以上、本発明を例示的な態様に関して記載したが、本発明は、それらの態様に限定されない。むしろ、添付した複数の請求項は、本発明の範囲及び本発明の均等物の範囲を逸脱せずに当業者が創出する、開示した内容の他の変形及び態様も包含するものと広範に考えるべきである。
【図１】
2018076630.tif 000003
【図２】
2018076630.tif 000004
【図３】
2018076630.tif 000005
【図４】
2018076630.tif 000006
【図５】
2018076630.tif 000007
【図６】
2018076630.tif 000008
【図７】
2018076630.tif 000009
【図８】
2018076630.tif 000010
【図９】
2018076630.tif 000011
【図１０Ａ】
2018076630.tif 000012
【図１０Ｂ】
2018076630.tif 000013
【外国語明細書】
2018076630000001.pdf